(57)【要約】本発明の光ディスクは、複数の条件に対応して予め割り付けられた複数の領域を含む光ディスクであって、前記複数の領域は、前記複数の条件のうち前記光ディスクにアクセス可能な少なくとも１つの第１条件に対応して予め割り付けられた少なくとも１つの第１領域と、前記複数の条件のうち前記光ディスクにアクセス不可能な少なくとも１つの第２条件に対応して予め割り付けられた少なくとも１つの第２領域とを含み、前記少なくとも１つの第１領域および前記少なくとも１つの第２領域には、前記少なくとも１つの第１条件で前記光ディスクにアクセスする方法を提供する複数の第１パラメータが記録されている。
2005031717.tif 000002
【特許請求の範囲】
【請求項１】
複数の条件に対応して予め割り付けられた複数の領域を含む光ディスクであって、
前記複数の領域は、
前記複数の条件のうち前記光ディスクにアクセス可能な少なくとも１つの第１条件に対応して予め割り付けられた少なくとも１つの第１領域と、
前記複数の条件のうち前記光ディスクにアクセス不可能な少なくとも１つの第２条件に対応して予め割り付けられた少なくとも１つの第２領域と
を含み、
前記少なくとも１つの第１領域および前記少なくとも１つの第２領域には、前記少なくとも１つの第１条件で前記光ディスクにアクセスする方法を提供する複数の第１パラメータが記録されている、光ディスク。
【請求項２】
前記少なくとも１つの第１領域のそれぞれには、前記複数の第１パラメータのうち、前記少なくとも１つの第１領域のそれぞれに対応する１つの第１パラメータが記録されている、請求項１に記載の光ディスク。
【請求項３】
前記少なくとも１つの第２領域には、前記複数の第１パラメータのうち、前記少なくとも１つの第２条件で前記光ディスクにアクセスする方法を提供する複数の第２パラメータに最も近い第１パラメータが記録されている、請求項１に記載の光ディスク。
【請求項４】
前記光ディスクは、少なくとも１つの記録層を含み、
前記少なくとも１つの記録層のそれぞれは、前記少なくとも１つの第１領域と前記少なくとも１つの第２領域とを含み、
前記少なくとも１つの第１領域および前記少なくとも１つの第２領域には、前記少なくとも１つの第１条件で前記少なくとも１つの記録層のそれぞれにアクセスする方法を提供する複数の第３パラメータが記録されている、請求項１に記載の光ディスク。
【請求項５】
前記複数の条件は、前記光ディスクにアクセスする速度に関する条件を含む、請求項１に記載の光ディスク。
【請求項６】
複数の条件に対応して予め割り付けられた複数の領域を含む光ディスクにアクセスするアクセス装置であって、
前記複数の領域は、前記複数の条件のうち前記光ディスクにアクセス可能な少なくとも１つの第１条件に対応して予め割り付けられた少なくとも１つの第１領域と、前記複数の条件のうち前記光ディスクにアクセス不可能な少なくとも１つの第２条件に対応して予め割り付けられた少なくとも１つの第２領域とを含み、
前記少なくとも１つの第１領域および前記少なくとも１つの第２領域には、前記少なくとも１つの第１条件で前記光ディスクにアクセスする方法を提供する複数の第１パラメータが記録されており、
前記アクセス装置は、
前記少なくとも１つの第１領域および前記少なくとも１つの第２領域のうちの少なくとも１つの領域から、前記複数の第１パラメータのうちの少なくとも１つを読み取る読み取り手段と、
前記読み取られた少なくとも１つの第１パラメータによって提供されるアクセス方法で前記光ディスクにアクセスするアクセス手段と
を備えたアクセス装置。
【請求項７】
前記読み取り手段は、前記少なくとも１つの第２領域のうちの少なくとも１つの領域から、前記少なくとも１つの第１パラメータを読み取る、請求項６に記載のアクセス装置。
【請求項８】
複数の条件に対応して予め割り付けられた複数の領域を含む光ディスクにアクセスするアクセス方法であって、
前記複数の領域は、前記複数の条件のうち前記光ディスクにアクセス可能な少なくとも１つの第１条件に対応して予め割り付けられた少なくとも１つの第１領域と、前記複数の条件のうち前記光ディスクにアクセス不可能な少なくとも１つの第２条件に対応して予め割り付けられた少なくとも１つの第２領域とを含み、
前記少なくとも１つの第１領域および前記少なくとも１つの第２領域には、前記少なくとも１つの第１条件で前記光ディスクにアクセスする方法を提供する複数の第１パラメータが記録されており、
前記アクセス方法は、
前記少なくとも１つの第１領域および前記少なくとも１つの第２領域のうちの少なくとも１つの領域から、前記複数の第１パラメータのうちの少なくとも１つを読み取るステップと、
前記読み取られた少なくとも１つの第１パラメータによって提供されるアクセス方法で前記光ディスクにアクセスするステップと
を包含するアクセス方法。
【発明の詳細な説明】
【技術分野】  本発明は、複数の条件に対応して予め割り付けられた複数の領域を含む光ディスク、この光ディスクにアクセスするアクセス装置およびこの光ディスクにアクセスするアクセス方法に関する。
【背景技術】  近年、光ディスクは、ＡＶ装置（オーディオ・ビジュアル装置）およびＰＣ（パーソナル・コンピュータ）のための媒体として、非常に活発に応用されている。例えば音楽用に開発されたＣＤ（Ｃｏｍｐａｃｔ  Ｄｉｓｃ）に基づいて、ＰＣ用のプログラムやアプリケーションを提供するための再生専用型ＣＤ−ＲＯＭ、データの追記ができるＣＤ−Ｒおよびデータの書き換えができるＣＤ−ＲＷが開発された。ＣＤ−ＲＯＭのためのフォーマット、ＣＤ−ＲのためのフォーマットおよびＣＤ−ＲＷのためのフォーマットは、ＡＶ分野およびＰＣ分野で広く普及している。
また、近年の高密度化技術の進歩で、映画などの映像を納められる再生専用のＤＶＤ（Ｄｉｇｉｔａｌ  Ｖｅｒｓａｔｉｌｅ  Ｄｉｓｃ）フォーマットが急速に普及している。ＣＤと同様に、ＤＶＤにおいても、追記型や書き換え型のフォーマット（例えば、ＤＶＤ−Ｒのためのフォーマット、ＤＶＤ−ＲＡＭのためのフォーマット、ＤＶＤ−ＲＷのためのフォーマット）が開発され、ＤＶＤの普及が加速されつつある。
光ディスクに関する技術分野では、転送レートを向上させるための開発が続けられている。再生専用の装置においては、１倍速から４８倍速程度の転送レートが実現され、記録可能な光ディスクにおいては、１倍速から１６倍速程度の転送レートが実現されている。しかし、転送レートを上げると、デメリット（消費電力の増大、光ディスクの回転数の増加に伴う記録再生装置の騒音の増加など）も生じる。
転送レートを上げることによって生じるメリットとデメリットとを考慮して、適切な転送レートが選択される。例えば、電力の制約が大きいポータブル型の記録再生装置では、電池による動作時には低い転送レートでデータが記録再生され、ＡＣアダプター装着時には高い転送レートでデータが記録再生される。電力の制約がない場合においても、転送レートの向上は時代と共に進むので、既に発売された記録再生装置では、発売された時点で既に規格化されている転送レートが最大転送レートとなる。したがって、記録再生装置で利用される光ディスクは、過去の記録再生装置から現在の記録再生装置までの全ての転送レートに対応することが求められる。
複数の転送レートでの記録再生性能を確保するために、光ディスクには、複数の転送レートに対応した複数の記録再生パラメータが予め記録されている。複数の記録再生パラメータは光ディスクのリードイン領域に光ディスク作成時の原盤作成行程で原盤に記録され、光ディスクの基板作成行程で原盤から転写することによって、光ディスクに記録される。例えば、複数の記録再生パラメータは、凹凸を有するピットで記録される。また、複数の記録再生パラメータは、光ディスクに形成された溝をウォブリングさせることによって記録されることもある。
図８は、従来の光ディスク７００の構成を示す（例えば、特開平１−２０１８４６号公報の第５頁および図１参照）。
光ディスク７００は、リードイン領域７０２と、データ領域７０３と、パラメータ記録領域７０４とを含む。
データ領域７０３は、ユーザデータが記録される領域である。データ領域７０３には、連続的な螺旋状の溝を含むトラックが形成されている。
リードイン領域７０２は、光ディスク７００をコントロールするための制御情報や交替情報などシステムに必要な情報が記録される領域である。リードイン領域７０２には、光ディスク７００を作成する際の基板作成行程で転写された凹凸の記録ピットが形成されている。
リードイン領域７０２は、パラメータ記録領域７０４を含む。パラメータ記録領域７０４は、光ディスク７００の記録再生パラメータが記録される領域である。パラメータ記録領域７０４には、各種転送レートに対応した記録再生パラメータが予め記録されている。
図９は、パラメータ記録領域７０４に記録されているデータ構造を示す。
パラメータ記録領域７０４は、複数の読み出し単位８０１を含む。複数の読み出し単位８０１は、通常、セクタと呼ばれる。セクタに記録されたデータには、リードソロモン符号を用いた積符号でパリティーが付加されており、セクタは、再生時にエラー訂正が行われる単位である。セクタ８０１に、互いに異なる転送レートの記録再生条件が記録されている。
パラメータ記録領域７０４は、セクタ８０２〜セクタ８０９を含む。セクタ８０２〜セクタ８０９は、複数の条件に対応して予め割り付けられた複数の領域である。セクタ８０２は、１倍速の記録再生条件に対応して予め割り付けられた領域である。セクタ８０３は、２倍速の記録再生条件に対応して予め割り付けられた領域である。セクタ８０４は、４倍速の記録再生条件に対応して予め割り付けられた領域である。セクタ８０５は、８倍速の記録再生条件に対応して予め割り付けられた領域である。
セクタ８０２〜セクタ８０５には、１倍速から８倍速までの記録再生条件が記録されている。セクタ８０２には、１倍速の記録再生パラメータが記録されている。セクタ８０３には、２倍速の記録再生パラメータが記録されている。セクタ８０４には、４倍速の記録再生パラメータが記録されている。セクタ８０５には、８倍速の記録再生パラメータが記録されている。
セクタ８０６〜セクタ８０９は、将来、転送レートや記録再生条件が変更された場合に記録再生パラメータを追加するための領域として、予備に確保されている。将来、技術の進歩と規格化の進展に応じて、セクタ８０６〜セクタ８０９に記録再生パラメータが追加された光ディスクが生産・出荷される。
セクタ８０２〜セクタ８０５には、記録再生速度によって異なる様々な情報（記録再生パラメータ）が記録されている。
セクタ８０２〜セクタ８０５のそれぞれには、各転送レートに対応する記録再生パラメータとして、記録再生を行う際の線速度に関する情報、再生を行う際の再生パワーに関する情報、記録パワーに関する情報、記録を行う際のレーザのパルス波形に関する情報、記録再生装置が記録特性を用いた学習によって記録パワーを決定するために必要な情報などが記録されている。これらの情報は、記録再生を行うために必要なパラメータとして一般的に用いられている情報であるが、多くの光ディスクには、更に様々な記録再生を行うために必要な情報が、記録・再生の状態を最適化するために記録されている。
光ディスク７００を用いた装置は、まずリードイン領域７０２に記録された情報を最初に読み出し、この情報から光ディスク７００を取り扱うことが可能かを判断する。取り扱いが可能な場合には、この装置は、リードイン領域７０２に記録された情報を参照して適切な装置の状態を設定する。
その後、この装置が取り扱える速度に対応した記録再生条件で光ディスク７００に記録再生するための記録再生パラメータをパラメータ記録領域７０４から読み取り、この記録再生パラメータを参照して、記録再生の学習等の動作を行った後、光ディスク７００に対して、データを記録再生する。
これらの動作によって、速度・転送レートなどの記録再生条件が異なる場合でも、光ディスクに応じた適切な動作状態で記録再生できるので、幅広い記録再生速度でも安定して記録再生できる。
しかし、記録再生転送レートの高速化に伴い、光ディスクと記録再生装置の記録再生速度の組み合わせが非常に複雑になってきている。例えば、光ディスクに記録再生可能な転送レートと、記録再生装置が記録再生可能な転送レートの組み合わせが非常に多くなり、最適な記録再生パラメータを記録再生装置が少ない手順で高速に読み出すことが非常に困難となっていた。この結果、光ディスク挿入時に、複雑な記録再生条件の読み出しを必要とするために、装置の立ち上げ時間が増加する、もしくは光ディスクと記録再生装置の組み合わせで立ち上げ時間が異なるという課題を有していた。
この課題を更に詳しく説明する。
図１０は、種々の記録再生速度に対応した複数の光ディスクのパラメータ記録領域の構造を示す。
光ディスク９０１は、１〜２倍速の記録再生に対応した光ディスクである。セクタ８０２には、１倍速の記録再生パラメータが記録されている。セクタ８０３には、２倍速の記録再生パラメータが記録されている。セクタ８０４〜セクタ８０９には、記録再生パラメータが記録されていない。
光ディスク９０２は、１〜８倍速の記録再生に対応した光ディスクである。セクタ８０２には、１倍速の記録再生パラメータが記録されている。セクタ８０３には、２倍速の記録再生パラメータが記録されている。セクタ８０４には、４倍速の記録再生パラメータが記録されている。セクタ８０５には、８倍速の記録再生パラメータが記録されている。セクタ８０６〜セクタ８０９には、記録再生パラメータが記録されていない。
光ディスク９０３は、２〜１６倍速の記録再生に対応した光ディスクである。セクタ８０３には、２倍速の記録再生パラメータが記録されている。セクタ８０４には、４倍速の記録再生パラメータが記録されている。セクタ８０５には、８倍速の記録再生パラメータが記録されている。セクタ８０６には、１６倍速の記録再生パラメータが記録されている。セクタ８０２およびセクタ８０７〜セクタ８０９には、記録再生パラメータが記録されていない。
以下、１〜２倍速に対応した記録再生装置が、光ディスク９０１〜光ディスク９０３にデータを記録再生する場合を説明する。
例えば、１〜２倍速に対応した記録再生装置が２倍速で記録再生を行う場合には、セクタ８０３に記録されている２倍速の記録再生パラメータを読み取る。この場合、光ディスク９０１〜光ディスク９０３のそれぞれのセクタ８０３に記録再生条件が記録されており、記録再生装置はセクタ８０３を１度読み出すだけで記録再生条件を得ることができる。
１〜１６倍速に対応した記録再生装置によって１６倍速で記録再生を行おうとして、光ディスク９０１〜光ディスク９０３が挿入された場合を説明する。記録再生装置はセクタ８０６に記録された情報を読み取る。例えば、光ディスク９０３では、セクタ８０６を読み取る。この場合、光ディスク９０３は１６倍速まで記録再生が可能である。セクタ８０６には記録条件が記録されており、セクタ８０６を読み取ることによって得ることができた記録再生パラメータを参照して、１６倍速で記録再生が可能である。しかし、光ディスク９０１のセクタ８０６および光ディスク９０２のセクタ８０６には、記録再生条件が記録されておらず、セクタ８０６を読み取ることによって得ることができたデータからは適切な記録再生条件を設定できない。この場合でも、光ディスクを挿入した記録再生装置は、１〜１６倍速で記録再生が可能なので、光ディスク９０１および光ディスク９０２に対してデータを記録再生できる。ただし、光ディスクが記録再生可能な速度で、記録再生装置が記録再生を行うために、挿入された光ディスクで記録再生可能な記録再生条件を再度読み出す必要が生じる。
図８を参照して説明した例では、光ディスク９０１のセクタ８０３もしくはセクタ８０２を再度読み取り、光ディスク９０２のセクタ８０２〜セクタ８０５のいずれかを再度読み取ることになる。
このように、複数の転送レートで記録可能な光ディスクと、複数の転送レートで記録再生可能な装置との組み合わせでは、記録再生情報を読み出す際に、一度の読み出しでは適切な記録再生条件の読み出しが行えないケースが発生し、ドライブの起動時間を長くする原因となっていた。
本発明は、上記課題に鑑みてなされたものであり、複数の条件に対応して予め割り付けられた複数の領域を含む光ディスク、この光ディスクにアクセスするアクセス装置およびこの光ディスクにアクセスするアクセス方法を提供することを目的とする。
【発明の開示】
本発明の光ディスクは、複数の条件に対応して予め割り付けられた複数の領域を含む光ディスクであって、前記複数の領域は、前記複数の条件のうち前記光ディスクにアクセス可能な少なくとも１つの第１条件に対応して予め割り付けられた少なくとも１つの第１領域と、前記複数の条件のうち前記光ディスクにアクセス不可能な少なくとも１つの第２条件に対応して予め割り付けられた少なくとも１つの第２領域とを含み、前記少なくとも１つの第１領域および前記少なくとも１つの第２領域には、前記少なくとも１つの第１条件で前記光ディスクにアクセスする方法を提供する複数の第１パラメータが記録されており、これにより、上記目的が達成される。
前記少なくとも１つの第１領域のそれぞれには、前記複数の第１パラメータのうち、前記少なくとも１つの第１領域のそれぞれに対応する１つの第１パラメータが記録されてもよい。
前記少なくとも１つの第２領域には、前記複数の第１パラメータのうち、前記少なくとも１つの第２条件で前記光ディスクにアクセスする方法を提供する複数の第２パラメータに最も近い第１パラメータが記録されてもよい。
前記光ディスクは、少なくとも１つの記録層を含み、前記少なくとも１つの記録層のそれぞれは、前記少なくとも１つの第１領域と前記少なくとも１つの第２領域とを含み、前記少なくとも１つの第１領域および前記少なくとも１つの第２領域には、前記少なくとも１つの第１条件で前記少なくとも１つの記録層のそれぞれにアクセスする方法を提供する複数の第３パラメータが記録されていてもよい。
前記複数の条件は、前記光ディスクにアクセスする速度に関する条件を含んでもよい。
本発明のアクセス装置は、複数の条件に対応して予め割り付けられた複数の領域を含む光ディスクにアクセスするアクセス装置であって、前記複数の領域は、前記複数の条件のうち前記光ディスクにアクセス可能な少なくとも１つの第１条件に対応して予め割り付けられた少なくとも１つの第１領域と、前記複数の条件のうち前記光ディスクにアクセス不可能な少なくとも１つの第２条件に対応して予め割り付けられた少なくとも１つの第２領域とを含み、前記少なくとも１つの第１領域および前記少なくとも１つの第２領域には、前記少なくとも１つの第１条件で前記光ディスクにアクセスする方法を提供する複数の第１パラメータが記録されており、前記アクセス装置は、前記少なくとも１つの第１領域および前記少なくとも１つの第２領域のうちの少なくとも１つの領域から、前記複数の第１パラメータのうちの少なくとも１つを読み取る読み取り手段と、前記読み取られた少なくとも１つの第１パラメータによって提供されるアクセス方法で前記光ディスクにアクセスするアクセス手段とを備え、これにより、上記目的が達成される。
前記読み取り手段は、前記少なくとも１つの第２領域のうちの少なくとも１つの領域から、前記少なくとも１つの第１パラメータを読み取ってもよい。
本発明のアクセス方法は、複数の条件に対応して予め割り付けられた複数の領域を含む光ディスクにアクセスするアクセス方法であって、前記複数の領域は、前記複数の条件のうち前記光ディスクにアクセス可能な少なくとも１つの第１条件に対応して予め割り付けられた少なくとも１つの第１領域と、前記複数の条件のうち前記光ディスクにアクセス不可能な少なくとも１つの第２条件に対応して予め割り付けられた少なくとも１つの第２領域とを含み、前記少なくとも１つの第１領域および前記少なくとも１つの第２領域には、前記少なくとも１つの第１条件で前記光ディスクにアクセスする方法を提供する複数の第１パラメータが記録されており、前記アクセス方法は、前記少なくとも１つの第１領域および前記少なくとも１つの第２領域のうちの少なくとも１つの領域から、前記複数の第１パラメータのうちの少なくとも１つを読み取るステップと、前記読み取られた少なくとも１つの第１パラメータによって提供されるアクセス方法で前記光ディスクにアクセスするステップとを包含し、これにより、上記目的が達成される。
【図面の簡単な説明】  図１は、本発明の実施の形態の光ディスク１０１を示す図である。
図２は、光ディスク１０１の原盤の作製工程を説明するための図である。
図３は、光ディスク１０１の作製工程を説明するための図である。
図４は、本発明の実施の形態の光ディスク１０１のパラメータ記録領域１０４のデータ構造を示す図である。
図５は、記録再生パラメータの詳細を示す図である。
図６は、本発明の実施の形態の記録再生装置６００の構成を示す図である。
図７は、本発明の実施の形態の記録再生処理手順を示すフローチャートである。
図８は、従来の光ディスク７００の構成を示す図である。
図９は、パラメータ記録領域７０４に記録されているデータ構造を示す図である。
図１０は、種々の記録再生速度に対応した複数の光ディスクのパラメータ記録領域の構造を示す図である。
【発明を実施するための最良の形態】  以下、図を参照して、本発明の実施の形態を説明する。
本発明の実施の形態では、初めに、複数の条件に対応して予め割り付けられた複数の領域を含む光ディスクを説明する（「１．光ディスク」参照）。次に、光ディスクの作製方法（ディスク原盤の作製工程、ディスクの作製工程）を説明する（「１．光ディスク」参照）。さらに、光ディスクの複数の領域に記録された記録再生パラメータを説明する（「１．光ディスク」参照）。さらに、記録再生条件に基づいて記録再生パラメータの設定を行って記録再生を行う記録再生装置および記録再生方法を説明する（「２．記録再生装置」および「３．記録再生方法」参照）。
１．光ディスク
図１は、本発明の実施の形態の光ディスク１０１を示す。
光ディスク１０１は、相変化型記録膜を含む。光ディスク１０１は、例えば、直径５０ｍｍ、内径１１ｍｍ、厚さ０．８ｍｍである。光ヘッド（照射光の波長４０５ｎｍ、開口数（ＮＡ）０．８５）によって、厚さ０．１ｍｍの透明基板を通して、情報の記録再生を行う。
光ディスク１０１は、２層の記録層を含む。光ディスク１０１は、リードイン領域１０２と、データ領域１０３と、パラメータ記録領域１０４とを含む。
リードイン領域１０２は、光ディスク１０１をコントロールするための制御情報や交替情報などシステムに必要な情報が記録される領域である。リードイン領域１０２には、光ディスク１０１の基板作製工程で転写された溝をウォブリングさせることによって予め情報が記録されている。
リードイン領域１０２は、パラメータ記録領域１０４を含む。パラメータ記録領域１０４は、光ディスク１０１の記録再生パラメータが記録される領域である。
パラメータ記録領域１０４には、各種転送レートに対応した記録再生パラメータが予め記録されている。
リードイン領域１０２は、光ディスク１０１の記録パワーおよび記録パルスタイミングなどをコントロールするための制御情報が溝のウォブルで予め記録された領域、記録パワーの学習を行うためのテスト領域など、光ディスク１０１に対する記録再生動作を行うためにシステムに必要な情報を記録した領域を含む。
リードイン領域１０２において、トラックピッチがデータ領域１０３より広いのは、溝のウォブルで記録された制御情報を安定に読み出すためである。
光ディスク１０１のうち、データ領域１０３は、半径２３．８ｍｍから半径１２．２５ｍｍの範囲であり、リードイン領域１０２は半径１２．２５ｍｍから内周に０．５ｍｍの幅で、半径１２．２５ｍｍから半径１１．７５ｍｍの範囲にある。
リードイン領域１０２およびデータ記録領域１０３には、トラックが連続的な螺旋状で形成されている。リードイン領域１０２のトラックピッチ（溝と溝の間隔）は０．３５μｍであり、データ領域１０３のトラックピッチは０．３２μｍである。リードイン領域１０２とデータ領域１０３との境界において、略３０μｍの範囲でトラックピッチは連続的に変化している。トラックにはアクセスを行うためのアドレスが溝のウォブルによって記録される。
データ領域１０３は、書き換え可能な記録データが記録される領域である。書き換え可能な記録データは、溝中にアモルファス状の記録ピットとしてデータ領域１０３に記録される。記録ピットは、書き換え型のＤＶＤなどで用いられている方法と同様の方法でデータ領域１０３に形成される。例えば、記録ピットは、記録レーザ光をマルチパルスで強度変調して記録膜を急冷することによって、データ領域１０３に形成される。
以上、図１を参照して、本発明の実施の形態の光ディスク１０１を説明した。ただし、上述した光ディスク１０１は、本発明の光ディスク（光記録媒体）の一例に過ぎず、本発明を限定するものではない。
以下、本発明の実施の形態の光ディスク１０１の作製工程を説明する。
図２は、光ディスク１０１の原盤の作製工程を説明するための図である。
感光材料としてポジ型フォトレジストを均一に塗布したガラス板２０１を用意する。波長２４８ｎｍの遠視外線レーザを用いたカッティングマシーン２０２によって所望の溝パターンを露光する。このときカッティングマシーン２０２はフォーマッタからの信号に基づいて光ビームをウォブリングしアドレスならびにリードイン領域１０２の一部に制御情報を記録する。リードイン領域１０２とデータ領域１０３との間ではカッティングマシーンの送り量を変化させてトラックピッチを変化させる。データ領域１０３の最外周まで達した時点で露光は完了する。
上記の工程によって、所望の溝パターンの潜像２０３がガラス板２０１に記録される。このガラス板２０１を回転させながら現像し乾燥することによって、グルーブパターン２０４が形成されたディスク原盤２０５が作製される。ディスク原盤２０５にスパッタリング法でニッケル膜２０６を形成し、これを電極としてニッケルメッキを行ってニッケルの薄板２０７を作製し、これを剥離、レジスト除去を行って裏面を研磨した後に所望の形状に打ち抜くことによって、スタンパ２０８が作製される。この工程の中で、リードイン領域１０２を露光する時に、情報を変調することによって、光ディスク１０１をコントロールするための制御情報や異なった記録速度に対応するための記録再生パラメータが記録される。
図３は、光ディスク１０１の作製工程を説明するための図である。
図２を参照して説明した方法によって作製されたスタンパ２０８を射出成型機に取り付け、ポリカーボネイトを材料とした射出成形を行って、スタンパ２０８の溝形状が転写された厚さ０．７ｍｍの成形基板３０１を作製する。この基板３０１の溝が転写された面に、スパッタ法によって厚さ８０ｎｍのＡｇの反射層３０２、厚さ２０ｎｍのＺｎＳの誘電体層３０３、１０ｎｍの厚さの（Ｇｅ，Ｓｎ）ＳｂＴｅの記録層３０４、厚さ５７ｎｍのＺｎＳの誘電体層３０５を積層する。これが第１の記録層３１０となる。
さらにこの上に紫外線硬化樹脂３０６を滴下し、スタンパ２０８の溝を転写する。この紫外線硬化樹脂３０６を紫外線３０７で硬化させる。この硬化した紫外線硬化樹脂３０６の溝が転写された面に、スパッタ法によって厚さ２０ｎｍのＺｎＳの誘電体層３０３、１０ｎｍの厚さの（Ｇｅ，Ｓｎ）ＳｂＴｅの記録層３０４、厚さ５７ｎｍのＺｎＳの誘電体層３０５を積層する。これが第２の記録層３１１となる。
次に、スピンコータ上で厚み略９０μｍのポリカーボネートシート３０９に紫外線硬化樹脂３０８を滴下したものを誘電体層３０５に重ねた後、スピンコータを回転させて余分な紫外線硬化樹脂を振り切り、紫外線硬化樹脂３０８の厚みが略１０μｍとなった時点でスピンコータの回転を停止し、紫外線源から紫外線３０７を照射して紫外線硬化樹脂３０８を硬化させる。
光ディスク１０１の記録層３０４は、スパッタ法により形成された状態では全面がアモルファス状態であり、一般的に初期化工程と呼ばれる記録層３０４の結晶化処理が必要となる。この結晶化処理は、通常６５０ｎｍ程度の波長の高出力のレーザ光を搭載した初期化装置で、全面均一な光で走査することにより行われる。この処理によって記録膜３０４の反射率が約２０％となる。
以上、図２および図３を参照して、本発明の実施の形態の光ディスク１０１の作製方法を説明した。
図４は、本発明の実施の形態の光ディスク１０１のパラメータ記録領域１０４のデータ構造を示す。
光ディスク１０１のパラメータ記録領域１０４には、セクタ４０４〜セクタ４１１が、複数の条件（１倍速、２倍速、４倍速、８倍速、１６倍速、３２倍速、４８倍速および６０倍速の記録再生条件）に対応して予め割り付けられている。セクタ４０４〜セクタ４１１のそれぞれは、１度に読み出しエラー訂正可能である。
光ディスク１０１は、例えば、１〜２倍速の記録再生に対応した光ディスク４０１である。
光ディスク４０１のパラメータ記録領域１０４には、セクタ４０４とセクタ４０５とが、光ディスク４０１にアクセス可能な条件（１倍速および２倍速の記録再生条件）に対応して予め割り付けられている。光ディスク４０１のパラメータ記録領域１０４には、セクタ４０６〜セクタ４１１とが、光ディスク４０１にアクセス不可能な条件（４倍速、８倍速、１６倍速、３２倍速、４８倍速および６０倍速の記録再生条件）に対応して予め割り付けられている。
光ディスク４０１のセクタ４０４〜セクタ４１１には、光ディスク４０１にアクセス可能な条件（１倍速および２倍速の記録再生条件）で光ディスク４０１に記録再生するための記録再生パラメータが記録されている。
光ディスク４０１のセクタ４０４およびセクタ４０５のそれぞれには、光ディスク４０１のセクタ４０４およびセクタ４０５のそれぞれに対応する１つの記録再生パラメータが記録されている。光ディスク４０１のセクタ４０６〜セクタ４１１には、光ディスク４０１にアクセス可能な条件（１倍速および２倍速の記録再生条件）で光ディスク４０１に記録再生するための記録再生パラメータのうち、光ディスク４０１にアクセス不可能な条件（４倍速、８倍速、１６倍速、３２倍速、４８倍速および６０倍速の記録再生条件）に最も近い条件で光ディスク４０１に記録再生するための記録再生パラメータが記録されている。
例えば、光ディスク４０１のセクタ４０４には、１倍速の記録再生パラメータが記録されている。セクタ４０５〜セクタ４１１には、２倍速の記録再生パラメータが記録されている。
光ディスク１０１は、例えば、１〜８倍速の記録再生に対応した光ディスク４０２である。
光ディスク４０２のパラメータ記録領域１０４には、セクタ４０４〜セクタ４０７が、光ディスク４０２にアクセス可能な条件（１倍速、２倍速、４倍速および８倍速の記録再生条件）に対応して予め割り付けられている。光ディスク４０２のパラメータ記録領域１０４には、セクタ４０８〜セクタ４１１が、光ディスク４０２にアクセス不可能な条件（１６倍速、３２倍速、４８倍速および６０倍速の記録再生条件）に対応して予め割り付けられている。
光ディスク４０２のセクタ４０４〜セクタ４１１には、光ディスク４０２にアクセス可能な条件（１倍速、２倍速、４倍速および８倍速の記録再生条件）で光ディスク４０２に記録再生するための記録再生パラメータが記録されている。光ディスク４０２のセクタ４０４〜セクタ４０７のそれぞれには、光ディスク４０２にアクセス可能な条件（１倍速、２倍速、４倍速および８倍速の記録再生条件）で光ディスク４０２に記録再生するための記録再生パラメータのうち、光ディスク４０２のセクタ４０４〜セクタ４０７のそれぞれに対応する１つの記録再生パラメータが記録されている。
光ディスク４０２のセクタ４０８〜セクタ４１１には、光ディスク４０２にアクセス可能な条件（１倍速、２倍速、４倍速および８倍速の記録再生条件）で光ディスク４０２に記録再生するための記録再生パラメータのうち、光ディスク４０２にアクセス不可能な条件（１６倍速、３２倍速、４８倍速および６０倍速の記録再生条件）に最も近い条件（８倍速の記録再生条件）で光ディスク４０２に記録再生するための記録再生パラメータが記録されている。
例えば、光ディスク４０２のセクタ４０４には、１倍速の記録再生パラメータが記録されている。光ディスク４０２のセクタ４０５には、２倍速の記録再生パラメータが記録されている。光ディスク４０２のセクタ４０６には、４倍速の記録再生パラメータが記録されている。光ディスク４０２のセクタ４０７には、８倍速の記録再生パラメータが記録されている。セクタ４０８〜セクタ４１１には、８倍速の記録再生パラメータが記録されている。
光ディスク１０１は、例えば、２〜１６倍速の記録再生に対応した光ディスク４０３である。
光ディスク４０３のパラメータ記録領域１０４には、セクタ４０５〜セクタ４０８が、光ディスク４０３にアクセス可能な条件（２倍速、４倍速、８倍速および１６倍速の記録再生条件）に対応して予め割り付けられている。光ディスク４０３のパラメータ記録領域１０４には、セクタ４０４およびセクタ４０９〜セクタ４１１が、光ディスク４０３にアクセス不可能な条件（１倍速、３２倍速、４８倍速および６０倍速の記録再生条件）に対応して予め割り付けられている。
光ディスク４０３のセクタ４０４〜セクタ４１１には、光ディスク４０３にアクセス可能な条件（２倍速、４倍速、８倍速および１６倍速の記録再生条件）で光ディスク４０１に記録再生するための記録再生パラメータが記録されている。
光ディスク４０１のセクタ４０５〜セクタ４０８のそれぞれには、光ディスク４０３にアクセス可能な条件（２倍速、４倍速、８倍速および１６倍速の記録再生条件）で光ディスク４０３に記録再生するための記録再生パラメータのうち、光ディスク４０３のセクタ４０５〜セクタ４０８のそれぞれに対応する１つの記録再生パラメータが記録されている。光ディスク４０３のセクタ４０４およびセクタ４０９〜セクタ４１１には、光ディスク４０３にアクセス可能な条件（２倍速、４倍速、８倍速および１６倍速の記録再生条件）で光ディスク４０３に記録再生するための記録再生パラメータのうち、光ディスク４０３にアクセス不可能な条件（１倍速、３２倍速、４８倍速および６０倍速の記録再生条件）に最も近い条件（２倍速または１６倍速の記録再生条件）で光ディスク４０３に記録再生するための記録再生パラメータが記録されている。
例えば、光ディスク４０３のセクタ４０４には、２倍速の記録再生パラメータが記録されている。光ディスク４０３のセクタ４０５には、２倍速の記録再生パラメータが記録されている。光ディスク４０３のセクタ４０６には、４倍速の記録再生パラメータが記録されている。光ディスク４０３のセクタ４０７には、８倍速の記録再生パラメータが記録されている。光ディスク４０３のセクタ４０８〜セクタ４１１には、１６倍速の記録再生パラメータが記録されている。
以上、図４を参照して説明したように、光ディスク４０１〜４０３は、複数の記録再生条件に対応して予め割り付けられたセクタ４０４〜セクタ４１１を含む。光ディスク４０１〜４０３が所定の記録再生条件に対応していない場合、所定の条件に対応して予め割り付けられたセクタには、アクセス可能な条件で光ディスクに記録再生するための記録再生パラメータのうち、光ディスクにアクセス不可能な条件（例えば、所定の条件）に最も近い条件で光ディスクに記録再生するための記録再生パラメータが記録されている。したがって、複数の転送レートで記録可能な光ディスクと複数の転送レートで記録再生可能な装置の組み合わせで、記録再生条件を読み出す時間を常に一定にできる。
なお、光ディスク４０１〜４０３が所定の記録再生条件に対応していない場合、所定の条件に対応して予め割り付けられたセクタに、所定の条件に最も近い条件で光ディスクに記録再生するための記録再生パラメータを記録したことに限定されない。セクタ４０４〜セクタ４１１には、光ディスクにアクセス可能な条件で光ディスクに記録再生するための記録再生パラメータが記録されている限りは、記録される記録再生パラメータは任意である。
図５は、記録再生パラメータの詳細を示す。
光ディスク１０１は、第１の記録層３１０と第２の記録層３１１とを含む（図３参照）。第１の記録層３１０および第２の記録層３１１のそれぞれは、複数の条件に対応して予め割り付けられた複数のセクタを含む。複数のセクタには、所定の条件で第１の記録層３１０および第２の記録層３１１のそれぞれに記録再生する方法を提供する複数の記録再生パラメータが記録されている。例えば、記録再生パラメータは、第１の記録層３１０のための記録再生パラメータ５０１と、第２の記録層３１１のための記録再生パラメータ５０２とを含む。
記録再生パラメータ５０１と記録再生パラメータ５０２とは、同一の速度で第１の記録層３１０および第２の記録層３１１のそれぞれに記録再生を行うために必要である。同一の記録再生速度に必要な記録再生パラメータを１セクタ（一つの再生単位）に記録することによって、一度の読み出しで各層の記録再生条件を読み出せるという効果を得ることができる。
記録再生パラメータ５０１および記録再生パラメータ５０２のそれぞれは、記録再生を行う際の線速度情報５０３と、再生を行う際の再生パワー情報５０４と、記録パワーに関する情報５０５と、記録を行う際のレーザのパルス波形に関する情報５０６と、記録再生装置が記録特性を用いた学習によって記録パワーを決定するために必要な情報５０７とを含む。さらに、将来の拡張のためにリザーブされているリザーブ情報５０８を含む。
以上、図１〜図５を参照して、本発明の光ディスクを説明した。
本発明の実施の形態において、光ディスク１０１は、例えば、円形状の光ディスクである。円形状の光ディスクには、トラックが形成されている。トラックの形状は、例えば、スパイラル状または同心円状である。
さらに、本発明の光ディスクは、複数の条件に対応して予め割り付けられた複数の領域を含む記録媒体の一例である。
本発明の実施の形態において、光ディスクにデータを記録再生するための転送レートに関する場合を説明したが、本発明の適応範囲は、光ディスクにデータを記録再生するための転送レートに関する場合に限定されない。光ディスクにアクセスするための転送レートに関する限り、本発明の適応範囲は、任意である。
例えば、光ディスクに対してデータを記録再生するための転送レートの形態に加えて、光ディスクにデータを記録するための転送レートの形態および光ディスクからデータを再生するための転送レートの形態をも、本発明の適応範囲である。
本発明の光ディスクによれば、光ディスクにアクセス不可能な少なくとも１つの第２条件に対応して予め割り付けられた少なくとも１つの第２領域にも、光ディスクにアクセス可能な少なくとも１つの第１条件で光ディスクにアクセスする方法を提供する複数の第１パラメータが記録されている。したがって、アクセス装置（例えば、記録再生装置）が第２領域にアクセスした場合には、アクセス装置は、第２領域から第１領域に移動して第１領域で第１パラメータを取得することなく、第２領域で第１パラメータを取得できる。その結果、アクセス装置は、短時間で、第１パラメータを取得できる。
２．記録再生装置
図６は、本発明の実施の形態の記録再生装置６００の構成を示す。
以下、図４と図６とを参照して、本発明の実施の形態の記録再生装置６００の構成を説明する。
記録再生装置６００は、複数の条件に対応して予め割り付けられた複数のセクタを含む光ディスクにデータを記録再生する。光ディスクは、例えば、本発明の実施の形態の光ディスク１０１である。
記録再生装置６００は、光ディスク１０１を挿入することができるように構成されている。記録再生装置６００は、起動手段６０１と、読み取り手段６０２と、記録再生手段６０３と、ヘッド６０４とを含む。
起動手段６０１は、記録再生装置６００の外部からの入力に応答して、記録再生装置６００を起動する。
読み取り手段６０２は、記録再生装置６００の起動に応答して、光ディスク１０１が含むセクタ４０４〜セクタ４１１のうち、記録再生装置６００の最大パフォーマンスを示す最大パフォーマンス条件に対応して予め割り付けられたセクタから、複数の記録再生パラメータのうちの少なくとも１つを読み取る。
例えば、記録再生装置６００が１倍速〜１６倍速に対応する記録再生装置であり、光ディスク１０１が１倍速〜８倍速に対応する場合には、読み取り手段６０２は、記録再生装置６００の起動に応答して、光ディスク１０１が含むセクタ４０４〜セクタ４１１のうち、記録再生装置６００の最大パフォーマンスを示す最大パフォーマンス条件（１６倍速の記録再生条件）に対応して予め割り付けられたセクタ４０８から、８倍速の記録再生パラメータを読み取る。
なお、読み取り手段６０２は、光ディスク１０１のセクタ４０４〜セクタ４１１のうちの少なくとも１つのセクタから、複数の記録再生パラメータのうちの１つを読み取ってもよい。
記録再生手段６０３は、読み取られた記録再生パラメータにしたがって、光ディスクに対してデータを記録再生する。
３．記録再生方法
図７は、本発明の実施の形態の記録再生処理手順を示す。
以下、図４、図６および図７を参照して、本発明の実施の形態の記録再生処理手順をステップごとに説明する。
ステップ９０１：記録再生装置６００の外部からの入力にしたがって、記録再生装置６００を起動する。
ステップ９０２：読み取り手段６０２は、記録再生装置６００の起動に応答して、光ディスク１０１が含むセクタ４０４〜セクタ４１１のうち、記録再生装置６００の最大パフォーマンスを示す最大パフォーマンス条件に対応して予め割り付けられたセクタから、複数の記録再生パラメータのうちの少なくとも１つを読み取る。
ステップ９０３：記録再生手段６０３は、読み取られた記録再生パラメータにしたがって、光ディスクに対してデータを記録再生する。
光ディスクに対してデータを記録再生した後、処理は終了する。
以上、図４、図６および図７を参照して、本発明の実施の形態の記録再生処理手順をステップごとに説明した。
以上、図４、図６および図７を参照して説明したように、本発明の実施の形態によれば、複数の記録再生条件（例えば転送レート）で記録可能な光ディスクと複数の記録再生条件（例えば転送レート）で記録再生可能な装置との組み合わせで、記録再生条件を読み出す時間を常に一定にできる。
以下、図４および図６を参照して、具体例１〜３を説明する。
４．具体例１
１〜２倍速に対応した記録再生装置が２倍速動作を行う場合について説明する。
具体例１では、記録再生装置は、２倍速で記録再生するためにセクタ４０５から記録再生パラメータを読み取る。この場合には、光ディスク４０１〜光ディスク４０３のいずれを用いる場合でも、必ず２倍速の記録再生パラメータを読みとることができる。したがって、１〜２倍速に対応した記録再生装置は、この記録再生パラメータを参照して、直ちに光ディスクにデータを記録再生できる。
５．具体例２
１〜１６倍速に対応した記録再生装置が１６倍速動作時を行う場合について説明する。
具体例２では、記録再生装置は、１６倍速で記録再生するためにセクタ４０８から記録再生パラメータを読み取る。
２〜１６倍速に対応した光ディスク４０３のセクタ４０８に１６倍速で記録再生するための記録再生パラメータが記録されている。したがって、１〜１６倍速に対応した記録再生装置は、この記録再生パラメータを参照して、光ディスク４０３にデータを記録再生する。
１〜２倍速に対応した光ディスク４０１および１〜８倍速に対応した光ディスク４０２では、従来にない効果を得ることができる。
具体例２では、記録再生装置は、１６倍速で記録再生するために、１〜２倍速に対応した光ディスク４０１のセクタ４０８から記録再生パラメータを読み取る。光ディスク４０１のセクタ４０８には、２倍速の記録再生パラメータが記録されている。２倍速の記録再生パラメータは、光ディスク４０１が対応可能な記録再生条件のパラメータのうちで、記録再生装置が１６倍速で記録再生するために読み出したかった記録再生パラメータに最も近いものである。記録再生装置は１〜１６倍で記録再生可能であるので、この記録再生パラメータを参照して、直ちに光ディスク４０１にデータを記録再生できる。
記録再生装置は、１６倍速で記録再生するために、１〜８倍速に対応した光ディスク４０２のセクタ４０８から記録再生パラメータを読み取る。光ディスク４０２のセクタ４０８には、８倍速の記録再生パラメータが記録されている。８倍速の記録再生パラメータは、光ディスク４０２が対応可能な記録再生条件のパラメータのうちで、記録再生装置が１６倍速で記録再生するために読み出したかった記録再生パラメータに最も近いものである。記録再生装置は１〜１６倍で記録再生可能であるので、この記録再生パラメータを参照して、直ちに光ディスク４０２にデータを記録再生できる。
６．具体例３
１〜１６倍速に対応した記録再生装置が１倍速動作時を行う場合について説明する。
具体例第３では、記録再生装置は、１倍速で記録再生するためにセクタ４０４から記録再生パラメータを読み取る。この場合には、光ディスク４０１のセクタ４０４および光ディスク４０２のセクタ４０４には、１倍速の記録再生パラメータが記録されているので、１〜１６倍速に対応した記録再生装置は、直ちにデータの記録再生を開始できる。光ディスク４０３は、１倍速の記録再生に対応していないが、その条件と最も近い条件である２倍速の記録再生条件が記録されている。したがって、１〜１６倍速に対応した記録再生装置は、直ちにデータの記録再生を開始できる。
本発明によれば、いかなる記録再生装置と光ディスクの組み合わせにおいても必ず１度の記録再生パラメータの読み出しで、その装置と光ディスクの組み合わせで最も適切な記録再生条件を読み出すことができる。
以上、図１〜図７を参照して、本発明の実施の形態を説明した。
本発明は、以上の実施の形態にのみ限定するものではなく、発明の範囲内で種々の変更が可能である。例えば、上述した実施の形態では、記録再生条件の例として、記録再生速度（転送レート）を挙げたが、これのみに限定されない。記録再生条件は、例えば、記録線密度でもよい。記録再生条件が記録線密度である場合には、複数のセクタには、記録線密度に関する記録再生パラメータが記録される。さらに、上述した実施の形態では、転送レートが一定なＣＬＶモードの例を説明したが、例えば、一定回転数でアクセスするＣＡＶモードの回転数でもよい。
この様に、同一の光ディスクに記録再生装置が複数の記録再生条件で記録再生する場合にも、同様の効果をえることができる。
本発明の実施の形態において、光ディスクにデータを記録再生するための転送レートに関する形態を説明したが、本発明の適応範囲は、光ディスクにデータを記録再生するための転送レートに関する形態に限定されない。例えば、本発明の適応範囲は、光ディスクにデータを記録するための転送レートに関する形態、光ディスクからデータを再生するための転送レートに関する形態をも含む。光ディスクにアクセスするための転送レートに関する形態である限り、本発明の適応範囲は、任意である。
例えば、光ディスクにアクセスするための転送レートに関する形態においては、記録再生装置６００は、アクセス装置として機能する。記録再生手段６０３は、アクセス手段として機能する。この場合、アクセス手段は、読み取られた記録再生パラメータにしたがって、光ディスクにアクセスする。
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
例えば、以下の項目１〜項目４も、本発明の範囲である。
項目１．複数の条件に対応して予め割り付けられた複数の領域を含む光ディスクにアクセスするアクセス装置であって、
前記複数の領域には、前記複数の条件で前記光ディスクにアクセスする方法を提供する複数のパラメータが記録されており、
前記アクセス装置を起動する起動手段と、
前記アクセス装置の起動に応答して、前記複数の領域のうち、前記アクセス装置の最大パフォーマンスを示す最大パフォーマンス条件に対応して予め割り付けられた領域から、前記複数のパラメータのうちの少なくとも１つを読み取る読み取り手段と
を備えたアクセス装置。
項目２．前記読み取られた少なくとも１つのパラメータによって提供されるアクセス方法で前記光ディスクにアクセスするアクセス手段をさらに備えた、項目１に記載のアクセス装置。
項目３．前記複数の領域は、前記複数の条件のうち前記光ディスクにアクセス可能な少なくとも１つの第１条件に対応して予め割り付けられた少なくとも１つの第１領域と、前記複数の条件のうち前記光ディスクにアクセス不可能な少なくとも１つの第２条件に対応して予め割り付けられた少なくとも１つの第２領域とを含み、
前記少なくとも１つの第１領域および前記少なくとも１つの第２領域には、前記少なくとも１つの第１条件で前記光ディスクにアクセスする方法を提供する複数の第１パラメータが記録されている、項目１に記載のアクセス装置。
項目４．複数の条件に対応して予め割り付けられた複数の領域を含む光ディスクにアクセスするアクセス方法であって、
前記複数の領域には、前記複数の条件で前記光ディスクにアクセスする方法を提供する複数のパラメータが記録されており、
前記アクセス装置を起動するステップと、
前記アクセス装置の起動に応答して、前記複数の領域のうち、前記アクセス装置の最大パフォーマンスを示す最大パフォーマンス条件に対応して予め割り付けられた領域から、前記複数のパラメータのうちの少なくとも１つを読み取るステップと
を包含するアクセス方法。
【産業上の利用可能性】  本発明の光ディスクによれば、光ディスクにアクセス不可能な少なくとも１つの第２条件に対応して予め割り付けられた少なくとも１つの第２領域にも、光ディスクにアクセス可能な少なくとも１つの第１条件で光ディスクにアクセスする方法を提供する複数の第１パラメータが記録されている。したがって、アクセス装置が第２領域にアクセスした場合には、アクセス装置は、第２領域から第１領域に移動して第１領域で第１パラメータを取得することなく、第２領域で第１パラメータを取得できる。その結果、アクセス装置は、短時間で、第１パラメータを取得できる。
本発明によれば、複数の記録再生条件で記録可能な光ディスクと複数の記録再生条件で記録再生可能な装置の組み合わせで、記録再生条件を読み出す時間を常に一定にできるという優れた効果を得ることができる。
【図１】
2005031717.tif 000003
【図２】
2005031717.tif 000004
【図３】
2005031717.tif 000005
【図４】
2005031717.tif 000006
【図５】
2005031717.tif 000007
【図６】
2005031717.tif 000008
【図７】
2005031717.tif 000009
【図８】
2005031717.tif 000010
【図９】
2005031717.tif 000011
【図１０】
2005031717.tif 000012
【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】
【請求項１】
複数の条件に対応して予め割り付けられた複数の領域を含む光ディスクであって、
前記複数の領域は、
前記複数の条件のうち前記光ディスクにアクセス可能な少なくとも１つの第１条件に対応して予め割り付けられた少なくとも１つの第１領域と、
前記複数の条件のうち前記光ディスクにアクセス不可能な少なくとも１つの第２条件に対応して予め割り付けられた少なくとも１つの第２領域と
を含み、
前記少なくとも１つの第１領域および前記少なくとも１つの第２領域には、前記少なくとも１つの第１条件で前記光ディスクにアクセスする方法を提供する複数の第１パラメータが記録されている、光ディスク。
【請求項２】
前記少なくとも１つの第１領域のそれぞれには、前記複数の第１パラメータのうち、前記少なくとも１つの第１領域のそれぞれに対応する１つの第１パラメータが記録されている、請求項１に記載の光ディスク。
【請求項３】
前記少なくとも１つの第２領域には、前記複数の第１パラメータのうち、前記少なくとも１つの第２条件で前記光ディスクにアクセスする方法を提供する複数の第２パラメータに最も近い第１パラメータが記録されている、請求項１に記載の光ディスク。
【請求項４】
前記光ディスクは、少なくとも１つの記録層を含み、
前記少なくとも１つの記録層のそれぞれは、前記少なくとも１つの第１領域と前記少なくとも１つの第２領域とを含み、
前記少なくとも１つの第１領域および前記少なくとも１つの第２領域には、前記少なくとも１つの第１条件で前記少なくとも１つの記録層のそれぞれにアクセスする方法を提供する複数の第３パラメータが記録されている、請求項１に記載の光ディスク。
【請求項５】
前記複数の条件は、前記光ディスクにアクセスする速度に関する条件を含む、請求項１に記載の光ディスク。
【請求項６】
複数の条件に対応して予め割り付けられた複数の領域を含む光ディスクにアクセスするアクセス装置であって、
前記複数の領域は、前記複数の条件のうち前記光ディスクにアクセス可能な少なくとも１つの第１条件に対応して予め割り付けられた少なくとも１つの第１領域と、前記複数の条件のうち前記光ディスクにアクセス不可能な少なくとも１つの第２条件に対応して予め割り付けられた少なくとも１つの第２領域とを含み、
前記少なくとも１つの第１領域および前記少なくとも１つの第２領域には、前記少なくとも１つの第１条件で前記光ディスクにアクセスする方法を提供する複数の第１パラメータが記録されており、
前記アクセス装置は、
前記少なくとも１つの第１領域および前記少なくとも１つの第２領域のうちの少なくとも１つの領域から、前記複数の第１パラメータのうちの少なくとも１つを読み取る読み取り手段と、
前記読み取られた少なくとも１つの第１パラメータによって提供されるアクセス方法で前記光ディスクにアクセスするアクセス手段と
を備えたアクセス装置。 
【請求項７】
前記読み取り手段は、前記少なくとも１つの第２領域のうちの少なくとも１つの領域から、前記少なくとも１つの第１パラメータを読み取る、請求項６に記載のアクセス装置。
【請求項８】
複数の条件に対応して予め割り付けられた複数の領域を含む光ディスクにアクセスするアクセス方法であって、
前記複数の領域は、前記複数の条件のうち前記光ディスクにアクセス可能な少なくとも１つの第１条件に対応して予め割り付けられた少なくとも１つの第１領域と、前記複数の条件のうち前記光ディスクにアクセス不可能な少なくとも１つの第２条件に対応して予め
割り付けられた少なくとも１つの第２領域とを含み、
前記少なくとも１つの第１領域および前記少なくとも１つの第２領域には、前記少なくとも１つの第１条件で前記光ディスクにアクセスする方法を提供する複数の第１パラメータが記録されており、
前記アクセス方法は、
前記少なくとも１つの第１領域および前記少なくとも１つの第２領域のうちの少なくとも１つの領域から、前記複数の第１パラメータのうちの少なくとも１つを読み取るステップと、
前記読み取られた少なくとも１つの第１パラメータによって提供されるアクセス方法で前記光ディスクにアクセスするステップと
を包含するアクセス方法。
【請求項９】
複数の条件に対応して予め割り付けられた複数の領域を含む光ディスクにアクセスするアクセス装置であって、
前記複数の領域には、前記複数の条件で前記光ディスクにアクセスする方法を提供する複数のパラメータが記録されており、
前記アクセス装置を起動する起動手段と、
前記アクセス装置の起動に応答して、前記複数の領域のうち、前記アクセス装置の最大パフォーマンスを示す最大パフォーマンス条件に対応して予め割り付けられた領域から、前記複数のパラメータのうちの少なくとも１つを読み取る読み取り手段と
を備えたアクセス装置。
【請求項１０】
前記読み取られた少なくとも１つのパラメータによって提供されるアクセス方法で前記光ディスクにアクセスするアクセス手段をさらに備えた、請求項９に記載のアクセス装置。
【請求項１１】
前記複数の領域は、前記複数の条件のうち前記光ディスクにアクセス可能な少なくとも１つの第１条件に対応して予め割り付けられた少なくとも１つの第１領域と、前記複数の条件のうち前記光ディスクにアクセス不可能な少なくとも１つの第２条件に対応して予め割り付けられた少なくとも１つの第２領域とを含み、
前記少なくとも１つの第１領域および前記少なくとも１つの第２領域には、前記少なくとも１つの第１条件で前記光ディスクにアクセスする方法を提供する複数の第１パラメータが記録されている、請求項９に記載のアクセス装置。
【請求項１２】
複数の条件に対応して予め割り付けられた複数の領域を含む光ディスクにアクセスするアクセス方法であって、
前記複数の領域には、前記複数の条件で前記光ディスクにアクセスする方法を提供する複数のパラメータが記録されており、
前記アクセス装置を起動するステップと、
前記アクセス装置の起動に応答して、前記複数の領域のうち、前記アクセス装置の最大パフォーマンスを示す最大パフォーマンス条件に対応して予め割り付けられた領域から、前記複数のパラメータのうちの少なくとも１つを読み取るステップと
を包含するアクセス方法。
【手続補正２】
【補正対象書類名】明細書
【補正対象項目名】全文
【補正方法】変更
【補正の内容】
【発明の詳細な説明】
【技術分野】
【０００１】
本発明は、複数の条件に対応して予め割り付けられた複数の領域を含む光ディスク、この光ディスクにアクセスするアクセス装置およびこの光ディスクにアクセスするアクセス方法に関する。
【背景技術】
【０００２】
近年、光ディスクは、ＡＶ装置（オーディオ・ビジュアル装置）およびＰＣ（パーソナル・コンピュータ）のための媒体として、非常に活発に応用されている。例えば音楽用に開発されたＣＤ（Ｃｏｍｐａｃｔ  Ｄｉｓｃ）に基づいて、ＰＣ用のプログラムやアプリケーションを提供するための再生専用型ＣＤ−ＲＯＭ、データの追記ができるＣＤ−Ｒおよびデータの書き換えができるＣＤ−ＲＷが開発された。ＣＤ−ＲＯＭのためのフォーマット、ＣＤ−ＲのためのフォーマットおよびＣＤ−ＲＷのためのフォーマットは、ＡＶ分野およびＰＣ分野で広く普及している。
【０００３】
また、近年の高密度化技術の進歩で、映画などの映像を納められる再生専用のＤＶＤ（Ｄｉｇｉｔａｌ  Ｖｅｒｓａｔｉｌｅ  Ｄｉｓｃ）フォーマットが急速に普及している。ＣＤと同様に、ＤＶＤにおいても、追記型や書き換え型のフォーマット（例えば、ＤＶＤ−Ｒのためのフォーマット、ＤＶＤ−ＲＡＭのためのフォーマット、ＤＶＤ−ＲＷのためのフォーマット）が開発され、ＤＶＤの普及が加速されつつある。
【０００４】
光ディスクに関する技術分野では、転送レートを向上させるための開発が続けられている。再生専用の装置においては、１倍速から４８倍速程度の転送レートが実現され、記録可能な光ディスクにおいては、１倍速から１６倍速程度の転送レートが実現されている。しかし、転送レートを上げると、デメリット（消費電力の増大、光ディスクの回転数の増加に伴う記録再生装置の騒音の増加など）も生じる。
【０００５】
転送レートを上げることによって生じるメリットとデメリットとを考慮して、適切な転送レートが選択される。例えば、電力の制約が大きいポータブル型の記録再生装置では、電池による動作時には低い転送レートでデータが記録再生され、ＡＣアダプター装着時には高い転送レートでデータが記録再生される。電力の制約がない場合においても、転送レートの向上は時代と共に進むので、既に発売された記録再生装置では、発売された時点で既に規格化されている転送レートが最大転送レートとなる。したがって、記録再生装置で利用される光ディスクは、過去の記録再生装置から現在の記録再生装置までの全ての転送レートに対応することが求められる。
【０００６】
複数の転送レートでの記録再生性能を確保するために、光ディスクには、複数の転送レートに対応した複数の記録再生パラメータが予め記録されている。複数の記録再生パラメータは光ディスクのリードイン領域に光ディスク作成時の原盤作成行程で原盤に記録され、光ディスクの基板作成行程で原盤から転写することによって、光ディスクに記録される。例えば、複数の記録再生パラメータは、凹凸を有するピットで記録される。また、複数の記録再生パラメータは、光ディスクに形成された溝をウォブリングさせることによって記録されることもある。
【０００７】
図８は、従来の光ディスク７００の構成を示す（例えば、特開平１−２０１８４６号公報の第５頁および図１参照）。
【０００８】
光ディスク７００は、リードイン領域７０２と、データ領域７０３と、パラメータ記録
領域７０４とを含む。
【０００９】
データ領域７０３は、ユーザデータが記録される領域である。データ領域７０３には、連続的な螺旋状の溝を含むトラックが形成されている。
【００１０】
リードイン領域７０２は、光ディスク７００をコントロールするための制御情報や交替情報などシステムに必要な情報が記録される領域である。リードイン領域７０２には、光ディスク７００を作成する際の基板作成行程で転写された凹凸の記録ピットが形成されている。
【００１１】
リードイン領域７０２は、パラメータ記録領域７０４を含む。パラメータ記録領域７０４は、光ディスク７００の記録再生パラメータが記録される領域である。パラメータ記録領域７０４には、各種転送レートに対応した記録再生パラメータが予め記録されている。
【００１２】
図９は、パラメータ記録領域７０４に記録されているデータ構造を示す。
【００１３】
パラメータ記録領域７０４は、複数の読み出し単位８０１を含む。複数の読み出し単位８０１は、通常、セクタと呼ばれる。セクタに記録されたデータには、リードソロモン符号を用いた積符号でパリティーが付加されており、セクタは、再生時にエラー訂正が行われる単位である。セクタ８０１に、互いに異なる転送レートの記録再生条件が記録されている。
【００１４】
パラメータ記録領域７０４は、セクタ８０２〜セクタ８０９を含む。セクタ８０２〜セクタ８０９は、複数の条件に対応して予め割り付けられた複数の領域である。セクタ８０２は、１倍速の記録再生条件に対応して予め割り付けられた領域である。セクタ８０３は、２倍速の記録再生条件に対応して予め割り付けられた領域である。セクタ８０４は、４倍速の記録再生条件に対応して予め割り付けられた領域である。セクタ８０５は、８倍速の記録再生条件に対応して予め割り付けられた領域である。
【００１５】
セクタ８０２〜セクタ８０５には、１倍速から８倍速までの記録再生条件が記録されている。セクタ８０２には、１倍速の記録再生パラメータが記録されている。セクタ８０３には、２倍速の記録再生パラメータが記録されている。セクタ８０４には、４倍速の記録再生パラメータが記録されている。セクタ８０５には、８倍速の記録再生パラメータが記録されている。
【００１６】
セクタ８０６〜セクタ８０９は、将来、転送レートや記録再生条件が変更された場合に記録再生パラメータを追加するための領域として、予備に確保されている。将来、技術の進歩と規格化の進展に応じて、セクタ８０６〜セクタ８０９に記録再生パラメータが追加された光ディスクが生産・出荷される。
【００１７】
セクタ８０２〜セクタ８０５には、記録再生速度によって異なる様々な情報（記録再生パラメータ）が記録されている。
【００１８】
セクタ８０２〜セクタ８０５のそれぞれには、各転送レートに対応する記録再生パラメータとして、記録再生を行う際の線速度に関する情報、再生を行う際の再生パワーに関する情報、記録パワーに関する情報、記録を行う際のレーザのパルス波形に関する情報、記録再生装置が記録特性を用いた学習によって記録パワーを決定するために必要な情報などが記録されている。これらの情報は、記録再生を行うために必要なパラメータとして一般的に用いられている情報であるが、多くの光ディスクには、更に様々な記録再生を行うために必要な情報が、記録・再生の状態を最適化するために記録されている。
【００１９】
光ディスク７００を用いた装置は、まずリードイン領域７０２に記録された情報を最初に読み出し、この情報から光ディスク７００を取り扱うことが可能かを判断する。取り扱いが可能な場合には、この装置は、リードイン領域７０２に記録された情報を参照して適切な装置の状態を設定する。
【００２０】
その後、この装置が取り扱える速度に対応した記録再生条件で光ディスク７００に記録再生するための記録再生パラメータをパラメータ記録領域７０４から読み取り、この記録再生パラメータを参照して、記録再生の学習等の動作を行った後、光ディスク７００に対して、データを記録再生する。
【００２１】
これらの動作によって、速度・転送レートなどの記録再生条件が異なる場合でも、光ディスクに応じた適切な動作状態で記録再生できるので、幅広い記録再生速度でも安定して記録再生できる。
【００２２】
しかし、記録再生転送レートの高速化に伴い、光ディスクと記録再生装置の記録再生速度の組み合わせが非常に複雑になってきている。例えば、光ディスクに記録再生可能な転送レートと、記録再生装置が記録再生可能な転送レートの組み合わせが非常に多くなり、最適な記録再生パラメータを記録再生装置が少ない手順で高速に読み出すことが非常に困難となっていた。この結果、光ディスク挿入時に、複雑な記録再生条件の読み出しを必要とするために、装置の立ち上げ時間が増加する、もしくは光ディスクと記録再生装置の組み合わせで立ち上げ時間が異なるという課題を有していた。
【００２３】
この課題を更に詳しく説明する。
【００２４】
図１０は、種々の記録再生速度に対応した複数の光ディスクのパラメータ記録領域の構造を示す。
【００２５】
光ディスク９０１は、１〜２倍速の記録再生に対応した光ディスクである。セクタ８０２には、１倍速の記録再生パラメータが記録されている。セクタ８０３には、２倍速の記録再生パラメータが記録されている。セクタ８０４〜セクタ８０９には、記録再生パラメータが記録されていない。
【００２６】
光ディスク９０２は、１〜８倍速の記録再生に対応した光ディスクである。セクタ８０２には、１倍速の記録再生パラメータが記録されている。セクタ８０３には、２倍速の記録再生パラメータが記録されている。セクタ８０４には、４倍速の記録再生パラメータが記録されている。セクタ８０５には、８倍速の記録再生パラメータが記録されている。セクタ８０６〜セクタ８０９には、記録再生パラメータが記録されていない。
【００２７】
光ディスク９０３は、２〜１６倍速の記録再生に対応した光ディスクである。セクタ８０３には、２倍速の記録再生パラメータが記録されている。セクタ８０４には、４倍速の記録再生パラメータが記録されている。セクタ８０５には、８倍速の記録再生パラメータが記録されている。セクタ８０６には、１６倍速の記録再生パラメータが記録されている。セクタ８０２およびセクタ８０７〜セクタ８０９には、記録再生パラメータが記録されていない。  
【００２８】
以下、１〜２倍速に対応した記録再生装置が、光ディスク９０１〜光ディスク９０３にデータを記録再生する場合を説明する。
【００２９】
例えば、１〜２倍速に対応した記録再生装置が２倍速で記録再生を行う場合には、セク
タ８０３に記録されている２倍速の記録再生パラメータを読み取る。この場合、光ディスク９０１〜光ディスク９０３のそれぞれのセクタ８０３に記録再生条件が記録されており、記録再生装置はセクタ８０３を１度読み出すだけで記録再生条件を得ることができる。
【００３０】
１〜１６倍速に対応した記録再生装置によって１６倍速で記録再生を行おうとして、光ディスク９０１〜光ディスク９０３が挿入された場合を説明する。記録再生装置はセクタ８０６に記録された情報を読み取る。例えば、光ディスク９０３では、セクタ８０６を読み取る。この場合、光ディスク９０３は１６倍速まで記録再生が可能である。セクタ８０６には記録条件が記録されており、セクタ８０６を読み取ることによって得ることができた記録再生パラメータを参照して、１６倍速で記録再生が可能である。しかし、光ディスク９０１のセクタ８０６および光ディスク９０２のセクタ８０６には、記録再生条件が記録されておらず、セクタ８０６を読み取ることによって得ることができたデータからは適切な記録再生条件を設定できない。この場合でも、光ディスクを挿入した記録再生装置は、１〜１６倍速で記録再生が可能なので、光ディスク９０１および光ディスク９０２に対してデータを記録再生できる。ただし、光ディスクが記録再生可能な速度で、記録再生装置が記録再生を行うために、挿入された光ディスクで記録再生可能な記録再生条件を再度読み出す必要が生じる。
【００３１】
図８を参照して説明した例では、光ディスク９０１のセクタ８０３もしくはセクタ８０２を再度読み取り、光ディスク９０２のセクタ８０２〜セクタ８０５のいずれかを再度読み取ることになる。
【００３２】
このように、複数の転送レートで記録可能な光ディスクと、複数の転送レートで記録再生可能な装置との組み合わせでは、記録再生情報を読み出す際に、一度の読み出しでは適切な記録再生条件の読み出しが行えないケースが発生し、ドライブの起動時間を長くする原因となっていた。
【００３３】
本発明は、上記課題に鑑みてなされたものであり、複数の条件に対応して予め割り付けられた複数の領域を含む光ディスク、この光ディスクにアクセスするアクセス装置およびこの光ディスクにアクセスするアクセス方法を提供することを目的とする。
【発明の開示】
【課題を解決するための手段】
【００３４】
本発明の光ディスクは、複数の条件に対応して予め割り付けられた複数の領域を含む光ディスクであって、前記複数の領域は、前記複数の条件のうち前記光ディスクにアクセス可能な少なくとも１つの第１条件に対応して予め割り付けられた少なくとも１つの第１領域と、前記複数の条件のうち前記光ディスクにアクセス不可能な少なくとも１つの第２条件に対応して予め割り付けられた少なくとも１つの第２領域とを含み、前記少なくとも１つの第１領域および前記少なくとも１つの第２領域には、前記少なくとも１つの第１条件で前記光ディスクにアクセスする方法を提供する複数の第１パラメータが記録されており、これにより、上記目的が達成される。
【００３５】
前記少なくとも１つの第１領域のそれぞれには、前記複数の第１パラメータのうち、前記少なくとも１つの第１領域のそれぞれに対応する１つの第１パラメータが記録されてもよい。
【００３６】
前記少なくとも１つの第２領域には、前記複数の第１パラメータのうち、前記少なくとも１つの第２条件で前記光ディスクにアクセスする方法を提供する複数の第２パラメータに最も近い第１パラメータが記録されてもよい。
【００３７】
前記光ディスクは、少なくとも１つの記録層を含み、前記少なくとも１つの記録層のそれぞれは、前記少なくとも１つの第１領域と前記少なくとも１つの第２領域とを含み、前記少なくとも１つの第１領域および前記少なくとも１つの第２領域には、前記少なくとも１つの第１条件で前記少なくとも１つの記録層のそれぞれにアクセスする方法を提供する複数の第３パラメータが記録されていてもよい。
【００３８】
前記複数の条件は、前記光ディスクにアクセスする速度に関する条件を含んでもよい。
【００３９】
本発明のアクセス装置は、複数の条件に対応して予め割り付けられた複数の領域を含む光ディスクにアクセスするアクセス装置であって、前記複数の領域は、前記複数の条件のうち前記光ディスクにアクセス可能な少なくとも１つの第１条件に対応して予め割り付けられた少なくとも１つの第１領域と、前記複数の条件のうち前記光ディスクにアクセス不可能な少なくとも１つの第２条件に対応して予め割り付けられた少なくとも１つの第２領域とを含み、前記少なくとも１つの第１領域および前記少なくとも１つの第２領域には、前記少なくとも１つの第１条件で前記光ディスクにアクセスする方法を提供する複数の第１パラメータが記録されており、前記アクセス装置は、前記少なくとも１つの第１領域および前記少なくとも１つの第２領域のうちの少なくとも１つの領域から、前記複数の第１パラメータのうちの少なくとも１つを読み取る読み取り手段と、前記読み取られた少なくとも１つの第１パラメータによって提供されるアクセス方法で前記光ディスクにアクセスするアクセス手段とを備え、これにより、上記目的が達成される。
【００４０】
前記読み取り手段は、前記少なくとも１つの第２領域のうちの少なくとも１つの領域から、前記少なくとも１つの第１パラメータを読み取ってもよい。
【００４１】
本発明のアクセス方法は、複数の条件に対応して予め割り付けられた複数の領域を含む光ディスクにアクセスするアクセス方法であって、前記複数の領域は、前記複数の条件のうち前記光ディスクにアクセス可能な少なくとも１つの第１条件に対応して予め割り付けられた少なくとも１つの第１領域と、前記複数の条件のうち前記光ディスクにアクセス不可能な少なくとも１つの第２条件に対応して予め割り付けられた少なくとも１つの第２領域とを含み、前記少なくとも１つの第１領域および前記少なくとも１つの第２領域には、前記少なくとも１つの第１条件で前記光ディスクにアクセスする方法を提供する複数の第１パラメータが記録されており、前記アクセス方法は、前記少なくとも１つの第１領域および前記少なくとも１つの第２領域のうちの少なくとも１つの領域から、前記複数の第１パラメータのうちの少なくとも１つを読み取るステップと、前記読み取られた少なくとも１つの第１パラメータによって提供されるアクセス方法で前記光ディスクにアクセスするステップとを包含し、これにより、上記目的が達成される。
【発明を実施するための最良の形態】
【００４２】
以下、図を参照して、本発明の実施の形態を説明する。
【００４３】
本発明の実施の形態では、初めに、複数の条件に対応して予め割り付けられた複数の領域を含む光ディスクを説明する（「１．光ディスク」参照）。次に、光ディスクの作製方法（ディスク原盤の作製工程、ディスクの作製工程）を説明する（「１．光ディスク」参照）。さらに、光ディスクの複数の領域に記録された記録再生パラメータを説明する（「１．光ディスク」参照）。さらに、記録再生条件に基づいて記録再生パラメータの設定を行って記録再生を行う記録再生装置および記録再生方法を説明する（「２．記録再生装置」および「３．記録再生方法」参照）。
【００４４】
１．光ディスク
図１は、本発明の実施の形態の光ディスク１０１を示す。
【００４５】
光ディスク１０１は、相変化型記録膜を含む。光ディスク１０１は、例えば、直径５０ｍｍ、内径１１ｍｍ、厚さ０．８ｍｍである。光ヘッド（照射光の波長４０５ｎｍ、開口数（ＮＡ）０．８５）によって、厚さ０．１ｍｍの透明基板を通して、情報の記録再生を行う。
【００４６】
光ディスク１０１は、２層の記録層を含む。光ディスク１０１は、リードイン領域１０２と、データ領域１０３と、パラメータ記録領域１０４とを含む。
【００４７】
リードイン領域１０２は、光ディスク１０１をコントロールするための制御情報や交替情報などシステムに必要な情報が記録される領域である。リードイン領域１０２には、光ディスク１０１の基板作製工程で転写された溝をウォブリングさせることによって予め情報が記録されている。
【００４８】
リードイン領域１０２は、パラメータ記録領域１０４を含む。パラメータ記録領域１０４は、光ディスク１０１の記録再生パラメータが記録される領域である。パラメータ記録領域１０４には、各種転送レートに対応した記録再生パラメータが予め記録されている。
【００４９】
リードイン領域１０２は、光ディスク１０１の記録パワーおよび記録パルスタイミングなどをコントロールするための制御情報が溝のウォブルで予め記録された領域、記録パワーの学習を行うためのテスト領域など、光ディスク１０１に対する記録再生動作を行うためにシステムに必要な情報を記録した領域を含む。
【００５０】
リードイン領域１０２において、トラックピッチがデータ領域１０３より広いのは、溝のウォブルで記録された制御情報を安定に読み出すためである。
【００５１】
光ディスク１０１のうち、データ領域１０３は、半径２３．８ｍｍから半径１２．２５ｍｍの範囲であり、リードイン領域１０２は半径１２．２５ｍｍから内周に０．５ｍｍの幅で、半径１２．２５ｍｍから半径１１．７５ｍｍの範囲にある。
【００５２】
リードイン領域１０２およびデータ記録領域１０３には、トラックが連続的な螺旋状で形成されている。リードイン領域１０２のトラックピッチ（溝と溝の間隔）は０．３５μｍであり、データ領域１０３のトラックピッチは０．３２μｍである。リードイン領域１０２とデータ領域１０３との境界において、略３０μｍの範囲でトラックピッチは連続的に変化している。トラックにはアクセスを行うためのアドレスが溝のウォブルによって記録される。
【００５３】
データ領域１０３は、書き換え可能な記録データが記録される領域である。書き換え可能な記録データは、溝中にアモルファス状の記録ピットとしてデータ領域１０３に記録される。記録ピットは、書き換え型のＤＶＤなどで用いられている方法と同様の方法でデータ領域１０３に形成される。例えば、記録ピットは、記録レーザ光をマルチパルスで強度変調して記録膜を急冷することによって、データ領域１０３に形成される。
【００５４】
以上、図１を参照して、本発明の実施の形態の光ディスク１０１を説明した。ただし、上述した光ディスク１０１は、本発明の光ディスク（光記録媒体）の一例に過ぎず、本発明を限定するものではない。
【００５５】
以下、本発明の実施の形態の光ディスク１０１の作製工程を説明する。
【００５６】
図２は、光ディスク１０１の原盤の作製工程を説明するための図である。
【００５７】
感光材料としてポジ型フォトレジストを均一に塗布したガラス板２０１を用意する。波長２４８ｎｍの遠視外線レーザを用いたカッティングマシーン２０２によって所望の溝パターンを露光する。このときカッティングマシーン２０２はフォーマッタからの信号に基づいて光ビームをウォブリングしアドレスならびにリードイン領域１０２の一部に制御情報を記録する。リードイン領域１０２とデータ領域１０３との間ではカッティングマシーンの送り量を変化させてトラックピッチを変化させる。データ領域１０３の最外周まで達した時点で露光は完了する。
【００５８】
上記の工程によって、所望の溝パターンの潜像２０３がガラス板２０１に記録される。このガラス板２０１を回転させながら現像し乾燥することによって、グルーブパターン２０４が形成されたディスク原盤２０５が作製される。ディスク原盤２０５にスパッタリング法でニッケル膜２０６を形成し、これを電極としてニッケルメッキを行ってニッケルの薄板２０７を作製し、これを剥離、レジスト除去を行って裏面を研磨した後に所望の形状に打ち抜くことによって、スタンパ２０８が作製される。この工程の中で、リードイン領域１０２を露光する時に、情報を変調することによって、光ディスク１０１をコントロールするための制御情報や異なった記録速度に対応するための記録再生パラメータが記録される。
【００５９】
図３は、光ディスク１０１の作製工程を説明するための図である。
【００６０】
図２を参照して説明した方法によって作製されたスタンパ２０８を射出成型機に取り付け、ポリカーボネイトを材料とした射出成形を行って、スタンパ２０８の溝形状が転写された厚さ０．７ｍｍの成形基板３０１を作製する。この基板３０１の溝が転写された面に、スパッタ法によって厚さ８０ｎｍのＡｇの反射層３０２、厚さ２０ｎｍのＺｎＳの誘電体層３０３、１０ｎｍの厚さの（Ｇｅ，Ｓｎ）ＳｂＴｅの記録層３０４、厚さ５７ｎｍのＺｎＳの誘電体層３０５を積層する。これが第１の記録層３１０となる。
【００６１】
さらにこの上に紫外線硬化樹脂３０６を滴下し、スタンパ２０８の溝を転写する。この紫外線硬化樹脂３０６を紫外線３０７で硬化させる。この硬化した紫外線硬化樹脂３０６の溝が転写された面に、スパッタ法によって厚さ２０ｎｍのＺｎＳの誘電体層３０３、１０ｎｍの厚さの（Ｇｅ，Ｓｎ）ＳｂＴｅの記録層３０４、厚さ５７ｎｍのＺｎＳの誘電体層３０５を積層する。これが第２の記録層３１１となる。
【００６２】
次に、スピンコータ上で厚み略９０μｍのポリカーボネートシート３０９に紫外線硬化樹脂３０８を滴下したものを誘電体層３０５に重ねた後、スピンコータを回転させて余分な紫外線硬化樹脂を振り切り、紫外線硬化樹脂３０８の厚みが略１０μｍとなった時点でスピンコータの回転を停止し、紫外線源から紫外線３０７を照射して紫外線硬化樹脂３０８を硬化させる。
【００６３】
光ディスク１０１の記録層３０４は、スパッタ法により形成された状態では全面がアモルファス状態であり、一般的に初期化工程と呼ばれる記録層３０４の結晶化処理が必要となる。この結晶化処理は、通常６５０ｎｍ程度の波長の高出力のレーザ光を搭載した初期化装置で、全面均一な光で走査することにより行われる。この処理によって記録膜３０４の反射率が約２０％となる。
【００６４】
以上、図２および図３を参照して、本発明の実施の形態の光ディスク１０１の作製方法を説明した。
【００６５】
図４は、本発明の実施の形態の光ディスク１０１のパラメータ記録領域１０４のデータ
構造を示す。
【００６６】
光ディスク１０１のパラメータ記録領域１０４には、セクタ４０４〜セクタ４１１が、複数の条件（１倍速、２倍速、４倍速、８倍速、１６倍速、３２倍速、４８倍速および６０倍速の記録再生条件）に対応して予め割り付けられている。セクタ４０４〜セクタ４１１のそれぞれは、１度に読み出しエラー訂正可能である。
【００６７】
光ディスク１０１は、例えば、１〜２倍速の記録再生に対応した光ディスク４０１である。
【００６８】
光ディスク４０１のパラメータ記録領域１０４には、セクタ４０４とセクタ４０５とが、光ディスク４０１にアクセス可能な条件（１倍速および２倍速の記録再生条件）に対応して予め割り付けられている。光ディスク４０１のパラメータ記録領域１０４には、セクタ４０６〜セクタ４１１とが、光ディスク４０１にアクセス不可能な条件（４倍速、８倍速、１６倍速、３２倍速、４８倍速および６０倍速の記録再生条件）に対応して予め割り付けられている。
【００６９】
光ディスク４０１のセクタ４０４〜セクタ４１１には、光ディスク４０１にアクセス可能な条件（１倍速および２倍速の記録再生条件）で光ディスク４０１に記録再生するための記録再生パラメータが記録されている。
【００７０】
光ディスク４０１のセクタ４０４およびセクタ４０５のそれぞれには、光ディスク４０１のセクタ４０４およびセクタ４０５のそれぞれに対応する１つの記録再生パラメータが記録されている。光ディスク４０１のセクタ４０６〜セクタ４１１には、光ディスク４０１にアクセス可能な条件（１倍速および２倍速の記録再生条件）で光ディスク４０１に記録再生するための記録再生パラメータのうち、光ディスク４０１にアクセス不可能な条件（４倍速、８倍速、１６倍速、３２倍速、４８倍速および６０倍速の記録再生条件）に最も近い条件で光ディスク４０１に記録再生するための記録再生パラメータが記録されている。
【００７１】
例えば、光ディスク４０１のセクタ４０４には、１倍速の記録再生パラメータが記録されている。セクタ４０５〜セクタ４１１には、２倍速の記録再生パラメータが記録されている。
【００７２】
光ディスク１０１は、例えば、１〜８倍速の記録再生に対応した光ディスク４０２である。
【００７３】
光ディスク４０２のパラメータ記録領域１０４には、セクタ４０４〜セクタ４０７が、光ディスク４０２にアクセス可能な条件（１倍速、２倍速、４倍速および８倍速の記録再生条件）に対応して予め割り付けられている。光ディスク４０２のパラメータ記録領域１０４には、セクタ４０８〜セクタ４１１が、光ディスク４０２にアクセス不可能な条件（１６倍速、３２倍速、４８倍速および６０倍速の記録再生条件）に対応して予め割り付けられている。
【００７４】
光ディスク４０２のセクタ４０４〜セクタ４１１には、光ディスク４０２にアクセス可能な条件（１倍速、２倍速、４倍速および８倍速の記録再生条件）で光ディスク４０２に記録再生するための記録再生パラメータが記録されている。光ディスク４０２のセクタ４０４〜セクタ４０７のそれぞれには、光ディスク４０２にアクセス可能な条件（１倍速、２倍速、４倍速および８倍速の記録再生条件）で光ディスク４０２に記録再生するための記録再生パラメータのうち、光ディスク４０２のセクタ４０４〜セクタ４０７のそれぞれ
に対応する１つの記録再生パラメータが記録されている。
【００７５】
光ディスク４０２のセクタ４０８〜セクタ４１１には、光ディスク４０２にアクセス可能な条件（１倍速、２倍速、４倍速および８倍速の記録再生条件）で光ディスク４０２に記録再生するための記録再生パラメータのうち、光ディスク４０２にアクセス不可能な条件（１６倍速、３２倍速、４８倍速および６０倍速の記録再生条件）に最も近い条件（８倍速の記録再生条件）で光ディスク４０２に記録再生するための記録再生パラメータが記録されている。
【００７６】
例えば、光ディスク４０２のセクタ４０４には、１倍速の記録再生パラメータが記録されている。光ディスク４０２のセクタ４０５には、２倍速の記録再生パラメータが記録されている。光ディスク４０２のセクタ４０６には、４倍速の記録再生パラメータが記録されている。光ディスク４０２のセクタ４０７には、８倍速の記録再生パラメータが記録されている。セクタ４０８〜セクタ４１１には、８倍速の記録再生パラメータが記録されている。
【００７７】
光ディスク１０１は、例えば、２〜１６倍速の記録再生に対応した光ディスク４０３である。
【００７８】
光ディスク４０３のパラメータ記録領域１０４には、セクタ４０５〜セクタ４０８が、光ディスク４０３にアクセス可能な条件（２倍速、４倍速、８倍速および１６倍速の記録再生条件）に対応して予め割り付けられている。光ディスク４０３のパラメータ記録領域１０４には、セクタ４０４およびセクタ４０９〜セクタ４１１が、光ディスク４０３にアクセス不可能な条件（１倍速、３２倍速、４８倍速および６０倍速の記録再生条件）に対応して予め割り付けられている。
【００７９】
光ディスク４０３のセクタ４０４〜セクタ４１１には、光ディスク４０３にアクセス可能な条件（２倍速、４倍速、８倍速および１６倍速の記録再生条件）で光ディスク４０１に記録再生するための記録再生パラメータが記録されている。
【００８０】
光ディスク４０１のセクタ４０５〜セクタ４０８のそれぞれには、光ディスク４０３にアクセス可能な条件（２倍速、４倍速、８倍速および１６倍速の記録再生条件）で光ディスク４０３に記録再生するための記録再生パラメータのうち、光ディスク４０３のセクタ４０５〜セクタ４０８のそれぞれに対応する１つの記録再生パラメータが記録されている。光ディスク４０３のセクタ４０４およびセクタ４０９〜セクタ４１１には、光ディスク４０３にアクセス可能な条件（２倍速、４倍速、８倍速および１６倍速の記録再生条件）で光ディスク４０３に記録再生するための記録再生パラメータのうち、光ディスク４０３にアクセス不可能な条件（１倍速、３２倍速、４８倍速および６０倍速の記録再生条件）に最も近い条件（２倍速または１６倍速の記録再生条件）で光ディスク４０３に記録再生するための記録再生パラメータが記録されている。
【００８１】
例えば、光ディスク４０３のセクタ４０４には、２倍速の記録再生パラメータが記録されている。光ディスク４０３のセクタ４０５には、２倍速の記録再生パラメータが記録されている。光ディスク４０３のセクタ４０６には、４倍速の記録再生パラメータが記録されている。光ディスク４０３のセクタ４０７には、８倍速の記録再生パラメータが記録されている。光ディスク４０３のセクタ４０８〜セクタ４１１には、１６倍速の記録再生パラメータが記録されている。
【００８２】
以上、図４を参照して説明したように、光ディスク４０１〜４０３は、複数の記録再生条件に対応して予め割り付けられたセクタ４０４〜セクタ４１１を含む。光ディスク４０
１〜４０３が所定の記録再生条件に対応していない場合、所定の条件に対応して予め割り付けられたセクタには、アクセス可能な条件で光ディスクに記録再生するための記録再生パラメータのうち、光ディスクにアクセス不可能な条件（例えば、所定の条件）に最も近い条件で光ディスクに記録再生するための記録再生パラメータが記録されている。したがって、複数の転送レートで記録可能な光ディスクと複数の転送レートで記録再生可能な装置の組み合わせで、記録再生条件を読み出す時間を常に一定にできる。
【００８３】
なお、光ディスク４０１〜４０３が所定の記録再生条件に対応していない場合、所定の条件に対応して予め割り付けられたセクタに、所定の条件に最も近い条件で光ディスクに記録再生するための記録再生パラメータを記録したことに限定されない。セクタ４０４〜セクタ４１１には、光ディスクにアクセス可能な条件で光ディスクに記録再生するための記録再生パラメータが記録されている限りは、記録される記録再生パラメータは任意である。
【００８４】
図５は、記録再生パラメータの詳細を示す。
【００８５】
光ディスク１０１は、第１の記録層３１０と第２の記録層３１１とを含む（図３参照）。第１の記録層３１０および第２の記録層３１１のそれぞれは、複数の条件に対応して予め割り付けられた複数のセクタを含む。複数のセクタには、所定の条件で第１の記録層３１０および第２の記録層３１１のそれぞれに記録再生する方法を提供する複数の記録再生パラメータが記録されている。例えば、記録再生パラメータは、第１の記録層３１０のための記録再生パラメータ５０１と、第２の記録層３１１のための記録再生パラメータ５０２とを含む。
【００８６】
記録再生パラメータ５０１と記録再生パラメータ５０２とは、同一の速度で第１の記録層３１０および第２の記録層３１１のそれぞれに記録再生を行うために必要である。同一の記録再生速度に必要な記録再生パラメータを１セクタ（一つの再生単位）に記録することによって、一度の読み出しで各層の記録再生条件を読み出せるという効果を得ることができる。
【００８７】
記録再生パラメータ５０１および記録再生パラメータ５０２のそれぞれは、記録再生を行う際の線速度情報５０３と、再生を行う際の再生パワー情報５０４と、記録パワーに関する情報５０５と、記録を行う際のレーザのパルス波形に関する情報５０６と、記録再生装置が記録特性を用いた学習によって記録パワーを決定するために必要な情報５０７とを含む。さらに、将来の拡張のためにリザーブされているリザーブ情報５０８を含む。
【００８８】
以上、図１〜図５を参照して、本発明の光ディスクを説明した。
【００８９】
本発明の実施の形態において、光ディスク１０１は、例えば、円形状の光ディスクである。円形状の光ディスクには、トラックが形成されている。トラックの形状は、例えば、スパイラル状または同心円状である。
【００９０】
さらに、本発明の光ディスクは、複数の条件に対応して予め割り付けられた複数の領域を含む記録媒体の一例である。
【００９１】
本発明の実施の形態において、光ディスクにデータを記録再生するための転送レートに関する場合を説明したが、本発明の適応範囲は、光ディスクにデータを記録再生するための転送レートに関する場合に限定されない。光ディスクにアクセスするための転送レートに関する限り、本発明の適応範囲は、任意である。
【００９２】
例えば、光ディスクに対してデータを記録再生するための転送レートの形態に加えて、光ディスクにデータを記録するための転送レートの形態および光ディスクからデータを再生するための転送レートの形態をも、本発明の適応範囲である。
【００９３】
本発明の光ディスクによれば、光ディスクにアクセス不可能な少なくとも１つの第２条件に対応して予め割り付けられた少なくとも１つの第２領域にも、光ディスクにアクセス可能な少なくとも１つの第１条件で光ディスクにアクセスする方法を提供する複数の第１パラメータが記録されている。したがって、アクセス装置（例えば、記録再生装置）が第２領域にアクセスした場合には、アクセス装置は、第２領域から第１領域に移動して第１領域で第１パラメータを取得することなく、第２領域で第１パラメータを取得できる。その結果、アクセス装置は、短時間で、第１パラメータを取得できる。
【００９４】
２．記録再生装置
図６は、本発明の実施の形態の記録再生装置６００の構成を示す。
【００９５】
以下、図４と図６とを参照して、本発明の実施の形態の記録再生装置６００の構成を説明する。
【００９６】
記録再生装置６００は、複数の条件に対応して予め割り付けられた複数のセクタを含む光ディスクにデータを記録再生する。光ディスクは、例えば、本発明の実施の形態の光ディスク１０１である。
【００９７】
記録再生装置６００は、光ディスク１０１を挿入することができるように構成されている。記録再生装置６００は、起動手段６０１と、読み取り手段６０２と、記録再生手段６０３と、ヘッド６０４とを含む。
【００９８】
起動手段６０１は、記録再生装置６００の外部からの入力に応答して、記録再生装置６００を起動する。
【００９９】
読み取り手段６０２は、記録再生装置６００の起動に応答して、光ディスク１０１が含むセクタ４０４〜セクタ４１１のうち、記録再生装置６００の最大パフォーマンスを示す最大パフォーマンス条件に対応して予め割り付けられたセクタから、複数の記録再生パラメータのうちの少なくとも１つを読み取る。
【０１００】
例えば、記録再生装置６００が１倍速〜１６倍速に対応する記録再生装置であり、光ディスク１０１が１倍速〜８倍速に対応する場合には、読み取り手段６０２は、記録再生装置６００の起動に応答して、光ディスク１０１が含むセクタ４０４〜セクタ４１１のうち、記録再生装置６００の最大パフォーマンスを示す最大パフォーマンス条件（１６倍速の記録再生条件）に対応して予め割り付けられたセクタ４０８から、８倍速の記録再生パラメータを読み取る。
【０１０１】
なお、読み取り手段６０２は、光ディスク１０１のセクタ４０４〜セクタ４１１のうちの少なくとも１つのセクタから、複数の記録再生パラメータのうちの１つを読み取ってもよい。
【０１０２】
記録再生手段６０３は、読み取られた記録再生パラメータにしたがって、光ディスクに対してデータを記録再生する。
【０１０３】
３．記録再生方法
図７は、本発明の実施の形態の記録再生処理手順を示す。
【０１０４】
以下、図４、図６および図７を参照して、本発明の実施の形態の記録再生処理手順をステップごとに説明する。
【０１０５】
ステップ９０１：記録再生装置６００の外部からの入力にしたがって、記録再生装置６００を起動する。
【０１０６】
ステップ９０２：読み取り手段６０２は、記録再生装置６００の起動に応答して、光ディスク１０１が含むセクタ４０４〜セクタ４１１のうち、記録再生装置６００の最大パフォーマンスを示す最大パフォーマンス条件に対応して予め割り付けられたセクタから、複数の記録再生パラメータのうちの少なくとも１つを読み取る。
【０１０７】
ステップ９０３：記録再生手段６０３は、読み取られた記録再生パラメータにしたがって、光ディスクに対してデータを記録再生する。
【０１０８】
光ディスクに対してデータを記録再生した後、処理は終了する。
【０１０９】
以上、図４、図６および図７を参照して、本発明の実施の形態の記録再生処理手順をステップごとに説明した。
【０１１０】
以上、図４、図６および図７を参照して説明したように、本発明の実施の形態によれば、複数の記録再生条件（例えば転送レート）で記録可能な光ディスクと複数の記録再生条件（例えば転送レート）で記録再生可能な装置との組み合わせで、記録再生条件を読み出す時間を常に一定にできる。
【０１１１】
以下、図４および図６を参照して、具体例１〜３を説明する。
【０１１２】
４．具体例１
１〜２倍速に対応した記録再生装置が２倍速動作を行う場合について説明する。
【０１１３】
具体例１では、記録再生装置は、２倍速で記録再生するためにセクタ４０５から記録再生パラメータを読み取る。この場合には、光ディスク４０１〜光ディスク４０３のいずれを用いる場合でも、必ず２倍速の記録再生パラメータを読みとることができる。したがって、１〜２倍速に対応した記録再生装置は、この記録再生パラメータを参照して、直ちに光ディスクにデータを記録再生できる。
【０１１４】
５．具体例２
１〜１６倍速に対応した記録再生装置が１６倍速動作時を行う場合について説明する。
【０１１５】
具体例２では、記録再生装置は、１６倍速で記録再生するためにセクタ４０８から記録再生パラメータを読み取る。
【０１１６】
２〜１６倍速に対応した光ディスク４０３のセクタ４０８に１６倍速で記録再生するための記録再生パラメータが記録されている。したがって、１〜１６倍速に対応した記録再生装置は、この記録再生パラメータを参照して、光ディスク４０３にデータを記録再生する。
【０１１７】
１〜２倍速に対応した光ディスク４０１および１〜８倍速に対応した光ディスク４０２では、従来にない効果を得ることができる。
【０１１８】
具体例２では、記録再生装置は、１６倍速で記録再生するために、１〜２倍速に対応した光ディスク４０１のセクタ４０８から記録再生パラメータを読み取る。光ディスク４０１のセクタ４０８には、２倍速の記録再生パラメータが記録されている。２倍速の記録再生パラメータは、光ディスク４０１が対応可能な記録再生条件のパラメータのうちで、記録再生装置が１６倍速で記録再生するために読み出したかった記録再生パラメータに最も近いものである。記録再生装置は１〜１６倍で記録再生可能であるので、この記録再生パラメータを参照して、直ちに光ディスク４０１にデータを記録再生できる。
【０１１９】
記録再生装置は、１６倍速で記録再生するために、１〜８倍速に対応した光ディスク４０２のセクタ４０８から記録再生パラメータを読み取る。光ディスク４０２のセクタ４０８には、８倍速の記録再生パラメータが記録されている。８倍速の記録再生パラメータは、光ディスク４０２が対応可能な記録再生条件のパラメータのうちで、記録再生装置が１６倍速で記録再生するために読み出したかった記録再生パラメータに最も近いものである。記録再生装置は１〜１６倍で記録再生可能であるので、この記録再生パラメータを参照して、直ちに光ディスク４０２にデータを記録再生できる。
【０１２０】
６．具体例３
１〜１６倍速に対応した記録再生装置が１倍速動作時を行う場合について説明する。
【０１２１】
具体例第３では、記録再生装置は、１倍速で記録再生するためにセクタ４０４から記録再生パラメータを読み取る。この場合には、光ディスク４０１のセクタ４０４および光ディスク４０２のセクタ４０４には、１倍速の記録再生パラメータが記録されているので、１〜１６倍速に対応した記録再生装置は、直ちにデータの記録再生を開始できる。光ディスク４０３は、１倍速の記録再生に対応していないが、その条件と最も近い条件である２倍速の記録再生条件が記録されている。したがって、１〜１６倍速に対応した記録再生装置は、直ちにデータの記録再生を開始できる。
【０１２２】
本発明によれば、いかなる記録再生装置と光ディスクの組み合わせにおいても必ず１度の記録再生パラメータの読み出しで、その装置と光ディスクの組み合わせで最も適切な記録再生条件を読み出すことができる。
【０１２３】
以上、図１〜図７を参照して、本発明の実施の形態を説明した。
【０１２４】
本発明は、以上の実施の形態にのみ限定するものではなく、発明の範囲内で種々の変更が可能である。例えば、上述した実施の形態では、記録再生条件の例として、記録再生速度（転送レート）を挙げたが、これのみに限定されない。記録再生条件は、例えば、記録線密度でもよい。記録再生条件が記録線密度である場合には、複数のセクタには、記録線密度に関する記録再生パラメータが記録される。さらに、上述した実施の形態では、転送レートが一定なＣＬＶモードの例を説明したが、例えば、一定回転数でアクセスするＣＡＶモードの回転数でもよい。
【０１２５】
この様に、同一の光ディスクに記録再生装置が複数の記録再生条件で記録再生する場合にも、同様の効果をえることができる。
【０１２６】
本発明の実施の形態において、光ディスクにデータを記録再生するための転送レートに関する形態を説明したが、本発明の適応範囲は、光ディスクにデータを記録再生するための転送レートに関する形態に限定されない。例えば、本発明の適応範囲は、光ディスクにデータを記録するための転送レートに関する形態、光ディスクからデータを再生するための転送レートに関する形態をも含む。光ディスクにアクセスするための転送レートに関する形態である限り、本発明の適応範囲は、任意である。
【０１２７】
例えば、光ディスクにアクセスするための転送レートに関する形態においては、記録再生装置６００は、アクセス装置として機能する。記録再生手段６０３は、アクセス手段として機能する。この場合、アクセス手段は、読み取られた記録再生パラメータにしたがって、光ディスクにアクセスする。
【０１２８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【０１２９】
例えば、以下の項目１〜項目４も、本発明の範囲である。
【０１３０】
項目１．複数の条件に対応して予め割り付けられた複数の領域を含む光ディスクにアクセスするアクセス装置であって、
前記複数の領域には、前記複数の条件で前記光ディスクにアクセスする方法を提供する複数のパラメータが記録されており、
前記アクセス装置を起動する起動手段と、
前記アクセス装置の起動に応答して、前記複数の領域のうち、前記アクセス装置の最大パフォーマンスを示す最大パフォーマンス条件に対応して予め割り付けられた領域から、前記複数のパラメータのうちの少なくとも１つを読み取る読み取り手段と
を備えたアクセス装置。
【０１３１】
項目２．前記読み取られた少なくとも１つのパラメータによって提供されるアクセス方法で前記光ディスクにアクセスするアクセス手段をさらに備えた、項目１に記載のアクセス装置。
【０１３２】
項目３．前記複数の領域は、前記複数の条件のうち前記光ディスクにアクセス可能な少なくとも１つの第１条件に対応して予め割り付けられた少なくとも１つの第１領域と、前記複数の条件のうち前記光ディスクにアクセス不可能な少なくとも１つの第２条件に対応して予め割り付けられた少なくとも１つの第２領域とを含み、
前記少なくとも１つの第１領域および前記少なくとも１つの第２領域には、前記少なくとも１つの第１条件で前記光ディスクにアクセスする方法を提供する複数の第１パラメータが記録されている、項目１に記載のアクセス装置。
【０１３３】
項目４．複数の条件に対応して予め割り付けられた複数の領域を含む光ディスクにアクセスするアクセス方法であって、
前記複数の領域には、前記複数の条件で前記光ディスクにアクセスする方法を提供する複数のパラメータが記録されており、
前記アクセス装置を起動するステップと、
前記アクセス装置の起動に応答して、前記複数の領域のうち、前記アクセス装置の最大パフォーマンスを示す最大パフォーマンス条件に対応して予め割り付けられた領域から、前記複数のパラメータのうちの少なくとも１つを読み取るステップと
を包含するアクセス方法。
【産業上の利用可能性】
【０１３４】
本発明の光ディスクによれば、光ディスクにアクセス不可能な少なくとも１つの第２条
件に対応して予め割り付けられた少なくとも１つの第２領域にも、光ディスクにアクセス可能な少なくとも１つの第１条件で光ディスクにアクセスする方法を提供する複数の第１パラメータが記録されている。したがって、アクセス装置が第２領域にアクセスした場合には、アクセス装置は、第２領域から第１領域に移動して第１領域で第１パラメータを取得することなく、第２領域で第１パラメータを取得できる。その結果、アクセス装置は、短時間で、第１パラメータを取得できる。
【０１３５】
本発明によれば、複数の記録再生条件で記録可能な光ディスクと複数の記録再生条件で記録再生可能な装置の組み合わせで、記録再生条件を読み出す時間を常に一定にできるという優れた効果を得ることができる。
【図面の簡単な説明】
【０１３６】
【図１】図１は、本発明の実施の形態の光ディスク１０１を示す図である。
【図２】図２は、光ディスク１０１の原盤の作製工程を説明するための図である。
【図３】図３は、光ディスク１０１の作製工程を説明するための図である。
【図４】図４は、本発明の実施の形態の光ディスク１０１のパラメータ記録領域１０４のデータ構造を示す図である。
【図５】図５は、記録再生パラメータの詳細を示す図である。
【図６】図６は、本発明の実施の形態の記録再生装置６００の構成を示す図である。
【図７】図７は、本発明の実施の形態の記録再生処理手順を示すフローチャートである。
【図８】図８は、従来の光ディスク７００の構成を示す図である。
【図９】図９は、パラメータ記録領域７０４に記録されているデータ構造を示す図である。
【図１０】図１０は、種々の記録再生速度に対応した複数の光ディスクのパラメータ記録領域の構造を示す図である。
【手続補正３】
【補正対象書類名】図面
【補正対象項目名】全図
【補正方法】変更
【補正の内容】
【図１】
2005031717.tif 000013
【図２】
2005031717.tif 000014
【図３】
2005031717.tif 000015
【図４】
2005031717.tif 000016
【図５】
2005031717.tif 000017
【図６】
2005031717.tif 000018
【図７】
2005031717.tif 000019
【図８】
2005031717.tif 000020
【図９】
2005031717.tif 000021
【図１０】
2005031717.tif 000022
【国際調査報告】
2005031717.tif 000023
2005031717.tif 000024
2005031717.tif 000025